(57)【要約】  ワイヤレス通信システムにおける狭帯域通信は、１次同期信号（ＰＳＳ）、２次同期信号（ＳＳＳ）、または物理ブロードキャストチャネル（ＰＢＣＨ）など、共通同期信号を含み得る。共通同期信号のコンテンツが、システム帯域幅の狭帯域領域中の狭帯域データ送信のロケーションを示し得る。狭帯域領域のロケーションは、１つまたは複数の広帯域送信内の帯域内、広帯域送信帯域幅に隣接するガードバンド帯域幅内、または広帯域送信に隣接しないスタンドアロン帯域幅内にあり得る。共通同期信号は、あらかじめ定義された探索周波数内に位置し得、割り振られた狭帯域通信リソースのうちのいくつかのリソース中に存在するアンカー同期チャネルを含み得る。狭帯域データ領域リソースが、狭帯域通信リソースの他の部分中で分配され得、送信ダイバーシティを与えるために異なるユーザに割り振られ得る。
2018534822.tif 000002
【特許請求の範囲】
【請求項１】
システム帯域幅の狭帯域領域中の狭帯域送信をサポートするシステムにおけるワイヤレス通信のための方法であって、
デバイス発見のための同期情報を備える同期信号の少なくとも一部分の送信のための、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備える、
前記アンカーリソースを介して前記同期信号の少なくとも一部分を送信することと
を備える、方法。
【請求項２】
前記あらかじめ定義されたリソースロケーションが、前記広帯域帯域幅の中心周波数からの固定オフセットに位置するＲＢを備える、請求項１に記載の方法。
【請求項３】
前記アンカーリソースが、デバイス発見において使用するための、前記同期信号、物理ブロードキャストチャネル（ＰＢＣＨ）、またはシステム情報ブロック（ＳＩＢ）のうちの１つまたは複数を送信するために使用される、請求項１に記載の方法。
【請求項４】
前記アンカーリソースが、狭帯域送信のための第２のリソースを示す情報を備える前記アンカーリソースを備え、ここにおいて、前記第２のリソースが、周波数ダイバーシティまたは負荷分散の一方または両方を与えるように選択される、請求項１に記載の方法。
【請求項５】
前記第２のリソースが、前記アンカーリソースとは異なる狭帯域領域中に位置する、請求項４に記載の方法。
【請求項６】
前記同期信号の周期性または電力スペクトル密度（ＰＳＤ）のうちの１つまたは複数が、前記アンカーリソースのロケーションに基づいて決定される、請求項１に記載の方法。
【請求項７】
前記同期信号が物理ブロードキャストチャネル（ＰＢＣＨ）情報を備え、ここにおいて、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、請求項１に記載の方法。
【請求項８】
前記ＰＢＣＨが、前記狭帯域領域の前記ロケーションのインジケーション、前記狭帯域送信のための変更されたシステムフレーム番号、またはＳＩＢ情報のうちの１つまたは複数を備え、ここにおいて、前記インジケーションが、前記狭帯域領域の前記ロケーションの直接インジケーションの１つまたは複数を備える、請求項７に記載の方法。
【請求項９】
前記アンカーリソースが、物理ダウンリンク制御チャネルを送信するために使用され、ここにおいて、前記物理ダウンリンク制御チャネルが、前記狭帯域領域のロケーションのインジケーション、前記狭帯域送信のための変更されたシステムフレーム番号、またはＳＩＢ情報のうちの１つまたは複数を備える、請求項１に記載の方法。
【請求項１０】
前記アンカーリソースが、レガシー基準信号によってパンクチャされるＲＢの複数のシンボルを備える、請求項１に記載の方法。
【請求項１１】
前記アンカーリソースが、レガシー基準信号またはレガシー制御信号のうちの１つまたは複数のためのリソースロケーションを回避するように選択される、請求項１に記載の方法。
【請求項１２】
前記狭帯域領域のロケーションが前記広帯域帯域幅内の帯域内にあることを識別することと、
前記狭帯域送信の送信のための、前記広帯域帯域幅中で分配される狭帯域リソースを選択することと、前記狭帯域リソースが、送信ダイバーシティを与えるために分配される、
をさらに備える、請求項１に記載の方法。
【請求項１３】
システム帯域幅の狭帯域領域中の狭帯域送信をサポートするシステムにおけるワイヤレス通信のための方法であって、
デバイス発見のための同期情報を備える同期信号の少なくとも一部分を含んでいる、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備える、
前記アンカーリソースを介して前記同期信号の少なくとも一部分を受信することと
を備える、方法。
【請求項１４】
前記あらかじめ定義されたリソースロケーションが、前記広帯域帯域幅の中心周波数からの固定オフセットに位置するＲＢを備える、請求項１３に記載の方法。
【請求項１５】
前記アンカーリソースが、前記狭帯域送信の初期収集において使用するための、前記同期信号、物理ブロードキャストチャネル（ＰＢＣＨ）、またはシステム情報ブロック（ＳＩＢ）のうちの１つまたは複数を受信するために使用される、請求項１３に記載の方法。
【請求項１６】
前記アンカーリソースが、狭帯域送信のための第２のリソースを示す情報を備え、ここにおいて、前記第２のリソースが、周波数ダイバーシティまたは負荷分散の一方または両方を与えるように選択される、請求項１３に記載の方法。
【請求項１７】
前記第２のリソースが、前記アンカーリソースとは異なる狭帯域領域中に位置する、請求項１６に記載の方法。
【請求項１８】
前記第２のリソースを使用して通信することと、
ＳＩＢ変化に少なくとも部分的に基づいて前記アンカーリソースを周期的に検査することと
をさらに備える、請求項１６に記載の方法。
【請求項１９】
前記同期信号の周期性または電力スペクトル密度（ＰＳＤ）のうちの１つまたは複数が、前記アンカーリソースのロケーションに基づいて決定される、請求項１３に記載の方法。
【請求項２０】
前記同期信号が物理ブロードキャストチャネル（ＰＢＣＨ）情報を備え、ここにおいて、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、請求項１３に記載の方法。
【請求項２１】
前記ＰＢＣＨが、前記狭帯域領域の前記ロケーションのインジケーション、前記狭帯域送信のための変更されたシステムフレーム番号、またはＳＩＢ情報のうちの１つまたは複数を備え、ここにおいて、前記インジケーションが、前記狭帯域領域の前記ロケーションの直接インジケーションの１つまたは複数を備える、請求項２０に記載の方法。
【請求項２２】
前記アンカーリソースが、物理ダウンリンク制御チャネルを受信するために使用され、ここにおいて、前記物理ダウンリンク制御チャネルが、前記狭帯域領域のロケーションのインジケーション、前記狭帯域送信のための変更されたシステムフレーム番号、またはＳＩＢ情報のうちの１つまたは複数を備える、請求項１３に記載の方法。
【請求項２３】
前記アンカーリソースが、レガシー基準信号によってパンクチャされるＲＢの複数のシンボルを備える、請求項１３に記載の方法。
【請求項２４】
前記アンカーリソースが、レガシー基準信号またはレガシー制御信号のうちの１つまたは複数のためのリソースロケーションを回避するように選択される、請求項１３に記載の方法。
【請求項２５】
前記同期信号のフォーマットに少なくとも部分的に基づいて、前記狭帯域領域のロケーションが、１つまたは複数の広帯域送信の広帯域帯域幅内の帯域内にあることを識別することと、
前記狭帯域送信を受信するための、前記広帯域帯域幅中で分配される狭帯域リソースを識別することと、前記狭帯域リソースが、前記狭帯域送信のための送信ダイバーシティを与えるために分配される、
をさらに備える、請求項１３に記載の方法。
【請求項２６】
システム帯域幅の狭帯域領域中の狭帯域送信をサポートするシステムにおけるワイヤレス通信のための装置であって、
デバイス発見のための同期情報を備える同期信号の少なくとも一部分の送信のための、１つまたは複数の広帯域送信の広帯域帯域幅内のアンカーリソースを識別するための手段と、ここにおいて、前記アンカーリソースが、前記広帯域帯域幅内のあらかじめ定義されたリソースロケーションに位置する１つまたは複数のリソースブロック（ＲＢ）を備える、
前記アンカーリソースを介して前記同期信号の少なくとも一部分を送信するための手段と
を備える、装置。
【請求項２７】
前記あらかじめ定義されたリソースロケーションが、前記広帯域帯域幅の中心周波数からの固定オフセットに位置するＲＢを備える、
請求項２６に記載の装置。
【請求項２８】
前記アンカーリソースが、デバイス発見において使用するための、前記同期信号、物理ブロードキャストチャネル（ＰＢＣＨ）、またはシステム情報ブロック（ＳＩＢ）のうちの１つまたは複数を送信するために使用される、
請求項２６に記載の装置。
【請求項２９】
前記アンカーリソースが、狭帯域送信のための第２のリソースを示す情報を備え、ここにおいて、前記第２のリソースが、周波数ダイバーシティまたは負荷分散の一方または両方を与えるように選択される、
請求項２６に記載の装置。
【請求項３０】
前記第２のリソースが、前記アンカーリソースとは異なる狭帯域領域中に位置する、
請求項２９に記載の装置。
【請求項３１】
前記同期信号の周期性または電力スペクトル密度（ＰＳＤ）のうちの１つまたは複数が、前記アンカーリソースのロケーションに基づいて決定される、
請求項２６に記載の装置。
【請求項３２】
前記同期信号が物理ブロードキャストチャネル（ＰＢＣＨ）情報を備え、ここにおいて、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、
請求項２６に記載の装置。
【請求項３３】
前記ＰＢＣＨが、前記狭帯域領域の前記ロケーションのインジケーション、前記狭帯域送信のための変更されたシステムフレーム番号、またはＳＩＢ情報のうちの１つまたは複数を備え、ここにおいて、前記インジケーションが、前記狭帯域領域の前記ロケーションの直接インジケーションの１つまたは複数を備える、
請求項３２に記載の装置。
【請求項３４】
前記アンカーリソースが、物理ダウンリンク制御チャネルを送信するために使用され、ここにおいて、前記物理ダウンリンク制御チャネルが、前記狭帯域領域のロケーションのインジケーション、前記狭帯域送信のための変更されたシステムフレーム番号、またはＳＩＢ情報のうちの１つまたは複数を備える、
請求項２６に記載の装置。
【請求項３５】
前記アンカーリソースが、レガシー基準信号によってパンクチャされるＲＢの複数のシンボルを備える、
請求項２６に記載の装置。
【請求項３６】
前記アンカーリソースが、レガシー基準信号またはレガシー制御信号のうちの１つまたは複数のためのリソースロケーションを回避するように選択される、
請求項２６に記載の装置。
【請求項３７】
前記狭帯域領域のロケーションが前記広帯域帯域幅内の帯域内にあることを識別するための手段と、
前記狭帯域送信の送信のための、前記広帯域帯域幅中で分配される狭帯域リソースを選択するための手段と、前記狭帯域リソースが、送信ダイバーシティを与えるために分配される、
をさらに備える、請求項２６に記載の装置。
【請求項３８】
システム帯域幅の狭帯域領域中の狭帯域送信をサポートするシステムにおけるワイヤレス通信のための装置であって、
デバイス発見のための同期情報を備える同期信号の少なくとも一部分を含んでいる、１つまたは複数の広帯域送信の広帯域帯域幅内のアンカーリソースを識別するための手段と、ここにおいて、前記アンカーリソースが、前記広帯域帯域幅内のあらかじめ定義されたリソースロケーションに位置する１つまたは複数のリソースブロック（ＲＢ）を備える、
前記アンカーリソースを介して前記同期信号の少なくとも一部分を受信するための手段と
を備える、装置。
【請求項３９】
前記あらかじめ定義されたリソースロケーションが、前記広帯域帯域幅の中心周波数からの固定オフセットに位置するＲＢを備える、
請求項３８に記載の装置。
【請求項４０】
前記アンカーリソースが、前記狭帯域送信の初期収集において使用するための、前記同期信号、物理ブロードキャストチャネル（ＰＢＣＨ）、またはシステム情報ブロック（ＳＩＢ）のうちの１つまたは複数を受信するために使用される、
請求項３８に記載の装置。
【請求項４１】
前記アンカーリソースが、狭帯域送信のための第２のリソースを示す情報を備え、ここにおいて、前記第２のリソースが、周波数ダイバーシティまたは負荷分散の一方または両方を与えるように選択される、
請求項３８に記載の装置。
【請求項４２】
前記第２のリソースが、前記アンカーリソースとは異なる狭帯域領域中に位置する、
請求項４１に記載の装置。
【請求項４３】
前記第２のリソースを使用して通信するための手段と、
ＳＩＢ変化に少なくとも部分的に基づいて前記アンカーリソースを周期的に検査するための手段と
をさらに備える、請求項４１に記載の装置。
【請求項４４】
前記同期信号の周期性または電力スペクトル密度（ＰＳＤ）のうちの１つまたは複数が、前記アンカーリソースのロケーションに基づいて決定される、
請求項３８に記載の装置。
【請求項４５】
前記同期信号が物理ブロードキャストチャネル（ＰＢＣＨ）情報を備え、ここにおいて、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、
請求項３８に記載の装置。
【請求項４６】
前記ＰＢＣＨが、前記狭帯域領域の前記ロケーションのインジケーション、前記狭帯域送信のための変更されたシステムフレーム番号、またはＳＩＢ情報のうちの１つまたは複数を備え、ここにおいて、前記インジケーションが、前記狭帯域領域の前記ロケーションの直接インジケーションの１つまたは複数を備える、
請求項４５に記載の装置。
【請求項４７】
前記アンカーリソースが、物理ダウンリンク制御チャネルを受信するために使用され、ここにおいて、前記物理ダウンリンク制御チャネルが、前記狭帯域領域のロケーションのインジケーション、前記狭帯域送信のための変更されたシステムフレーム番号、またはＳＩＢ情報のうちの１つまたは複数を備える、
請求項３８に記載の装置。
【請求項４８】
前記アンカーリソースが、レガシー基準信号によってパンクチャされるＲＢの複数のシンボルを備える、
請求項３８に記載の装置。
【請求項４９】
前記アンカーリソースが、レガシー基準信号またはレガシー制御信号のうちの１つまたは複数のためのリソースロケーションを回避するように選択される、
請求項３８に記載の装置。
【請求項５０】
前記同期信号のフォーマットに少なくとも部分的に基づいて、前記狭帯域領域のロケーションが、１つまたは複数の広帯域送信の広帯域帯域幅内の帯域内にあることを識別するための手段と、
前記狭帯域送信を受信するための、前記広帯域帯域幅中で分配される狭帯域リソースを識別するための手段と、前記狭帯域リソースが、前記狭帯域送信のための送信ダイバーシティを与えるために分配される、
をさらに備える、請求項３８に記載の装置。
【請求項５１】
システム帯域幅の狭帯域領域中の狭帯域送信をサポートするシステムにおけるワイヤレス通信のための装置であって、
プロセッサと、
前記プロセッサと電子通信しているメモリと、
前記メモリに記憶された命令とを備え、前記命令が、前記プロセッサによって実行されたとき、前記装置に、
デバイス発見のための同期情報を備える同期信号の少なくとも一部分の送信のための、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備える、
前記アンカーリソースを介して前記同期信号の少なくとも一部分を送信することと
を行わせるように動作可能である、
装置。
【請求項５２】
前記あらかじめ定義されたリソースロケーションが、前記広帯域帯域幅の中心周波数からの固定オフセットに位置するＲＢを備える、
請求項５１に記載の装置。
【請求項５３】
前記アンカーリソースが、デバイス発見において使用するための、前記同期信号、物理ブロードキャストチャネル（ＰＢＣＨ）、またはシステム情報ブロック（ＳＩＢ）のうちの１つまたは複数を送信するために使用される、
請求項５１に記載の装置。
【請求項５４】
前記アンカーリソースが、狭帯域送信のための第２のリソースを示す情報を備え、ここにおいて、前記第２のリソースが、周波数ダイバーシティまたは負荷分散の一方または両方を与えるように選択される、
請求項５１に記載の装置。
【請求項５５】
前記第２のリソースが、前記アンカーリソースとは異なる狭帯域領域中に位置する、
請求項５４に記載の装置。
【請求項５６】
前記同期信号の周期性または電力スペクトル密度（ＰＳＤ）のうちの１つまたは複数が、前記アンカーリソースのロケーションに基づいて決定される、
請求項５１に記載の装置。
【請求項５７】
前記同期信号が物理ブロードキャストチャネル（ＰＢＣＨ）情報を備え、ここにおいて、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、
請求項５１に記載の装置。
【請求項５８】
前記ＰＢＣＨが、前記狭帯域領域の前記ロケーションのインジケーション、前記狭帯域送信のための変更されたシステムフレーム番号、またはＳＩＢ情報のうちの１つまたは複数を備え、ここにおいて、前記インジケーションが、前記狭帯域領域の前記ロケーションの直接インジケーションの１つまたは複数を備える、
請求項５７に記載の装置。
【請求項５９】
前記アンカーリソースが、物理ダウンリンク制御チャネルを送信するために使用され、ここにおいて、前記物理ダウンリンク制御チャネルが、前記狭帯域領域のロケーションのインジケーション、前記狭帯域送信のための変更されたシステムフレーム番号、またはＳＩＢ情報のうちの１つまたは複数を備える、
請求項５１に記載の装置。
【請求項６０】
前記アンカーリソースが、レガシー基準信号によってパンクチャされるＲＢの複数のシンボルを備える、
請求項５１に記載の装置。
【請求項６１】
前記アンカーリソースが、レガシー基準信号またはレガシー制御信号のうちの１つまたは複数のためのリソースロケーションを回避するように選択される、
請求項５１に記載の装置。
【請求項６２】
前記命令は、
前記狭帯域領域のロケーションが前記広帯域帯域幅内の帯域内にあることを識別することと、
前記狭帯域送信の送信のための、前記広帯域帯域幅中で分配される狭帯域リソースを選択することと、前記狭帯域リソースが、送信ダイバーシティを与えるために分配される、
を行うために前記プロセッサによってさらに実行可能である、請求項５１に記載の装置。
【請求項６３】
システム帯域幅の狭帯域領域中の狭帯域送信をサポートするシステムにおけるワイヤレス通信のための装置であって、
プロセッサと、
前記プロセッサと電子通信しているメモリと、
前記メモリに記憶された命令とを備え、前記命令が、前記プロセッサによって実行されたとき、前記装置に、
デバイス発見のための同期情報を備える同期信号の少なくとも一部分を含んでいる、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備える、
前記アンカーリソースを介して前記同期信号の少なくとも一部分を受信することと
を行わせるように動作可能である、
装置。
【請求項６４】
前記あらかじめ定義されたリソースロケーションが、前記広帯域帯域幅の中心周波数からの固定オフセットに位置するＲＢを備える、
請求項６３に記載の装置。
【請求項６５】
前記アンカーリソースが、前記狭帯域送信の初期収集において使用するための、前記同期信号、物理ブロードキャストチャネル（ＰＢＣＨ）、またはシステム情報ブロック（ＳＩＢ）のうちの１つまたは複数を受信するために使用される、
請求項６３に記載の装置。
【請求項６６】
前記アンカーリソースが、狭帯域送信のための第２のリソースを示す情報を備え、ここにおいて、前記第２のリソースが、周波数ダイバーシティまたは負荷分散の一方または両方を与えるように選択される、
請求項６３に記載の装置。
【請求項６７】
前記第２のリソースが、前記アンカーリソースとは異なる狭帯域領域中に位置する、
請求項６６に記載の装置。
【請求項６８】
前記命令が、
前記第２のリソースを使用して通信することと、
ＳＩＢ変化に少なくとも部分的に基づいて前記アンカーリソースを周期的に検査することと
を行うために前記プロセッサによってさらに実行可能である、請求項６６に記載の装置。
【請求項６９】
前記同期信号の周期性または電力スペクトル密度（ＰＳＤ）のうちの１つまたは複数が、前記アンカーリソースのロケーションに基づいて決定される、
請求項６３に記載の装置。
【請求項７０】
前記同期信号が物理ブロードキャストチャネル（ＰＢＣＨ）情報を備え、ここにおいて、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、
請求項６３に記載の装置。
【請求項７１】
前記ＰＢＣＨが、前記狭帯域領域の前記ロケーションのインジケーション、前記狭帯域送信のための変更されたシステムフレーム番号、またはＳＩＢ情報のうちの１つまたは複数を備え、ここにおいて、前記インジケーションが、前記狭帯域領域の前記ロケーションの直接インジケーションの１つまたは複数を備える、
請求項７０に記載の装置。
【請求項７２】
前記アンカーリソースが、物理ダウンリンク制御チャネルを受信するために使用され、ここにおいて、前記物理ダウンリンク制御チャネルが、前記狭帯域領域のロケーションのインジケーション、前記狭帯域送信のための変更されたシステムフレーム番号、またはＳＩＢ情報のうちの１つまたは複数を備える、
請求項６３に記載の装置。
【請求項７３】
前記アンカーリソースが、レガシー基準信号によってパンクチャされるＲＢの複数のシンボルを備える、
請求項６３に記載の装置。
【請求項７４】
前記アンカーリソースが、レガシー基準信号またはレガシー制御信号のうちの１つまたは複数のためのリソースロケーションを回避するように選択される、
請求項６３に記載の装置。
【請求項７５】
前記命令は、
前記同期信号のフォーマットに少なくとも部分的に基づいて、前記狭帯域領域のロケーションが、１つまたは複数の広帯域送信の広帯域帯域幅内の帯域内にあることを識別することと、
前記狭帯域送信を受信するための、前記広帯域帯域幅中で分配される狭帯域リソースを識別することと、前記狭帯域リソースが、前記狭帯域送信のための送信ダイバーシティを与えるために分配される、
を行うために前記プロセッサによってさらに実行可能である、請求項６３に記載の装置。
【請求項７６】
システム帯域幅の狭帯域領域中の狭帯域送信をサポートするシステムにおけるワイヤレス通信のためのコードを記憶する非一時的コンピュータ可読媒体であって、前記コードは、
デバイス発見のための同期情報を備える同期信号の少なくとも一部分の送信のための、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備える、
前記アンカーリソースを介して前記同期信号の少なくとも一部分を送信することと
を行うためにプロセッサによって実行可能な命令を備える、非一時的コンピュータ可読媒体。
【請求項７７】
システム帯域幅の狭帯域領域中の狭帯域送信をサポートするシステムにおけるワイヤレス通信のためのコードを記憶する非一時的コンピュータ可読媒体であって、前記コードは、
デバイス発見のための同期情報を備える同期信号の少なくとも一部分を含んでいる、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備える、
前記アンカーリソースを介して前記同期信号の少なくとも一部分を受信することと
を行うためにプロセッサによって実行可能な命令を備える、非一時的コンピュータ可読媒体。
【発明の詳細な説明】
【相互参照】
【０００１】
[0001]本特許出願は、各々が本出願の譲受人に譲渡された、２０１６年８月２９日に出願された、「Common Synchronization Channel Design for Narrowband Communications」と題する、Ｘｕらによる米国特許出願第１５／２４９，９４８号、および２０１５年９月２４日に出願された、「Common Synchronization Channel Design for Narrowband Communications」と題する、Ｘｕらによる米国仮特許出願第６２／２３２，３３５号に対する優先権を主張する。
【背景技術】
【０００２】
[0002]以下は、一般にワイヤレス通信に関し、より詳細には、狭帯域ワイヤレス通信のためのデバイス発見のための共通同期チャネル設計に関する。
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]いくつかのワイヤレス通信システムは、マシンツーマシン（Ｍ２Ｍ）通信またはマシンタイプ通信（ＭＴＣ）を実装するデバイスなど、ワイヤレスデバイス間の狭帯域通信を提供し得る。いくつかの例では、ＭＴＣデバイスは、低減された複雑さまたは低減された性能メトリックを有し得、狭帯域通信、低コスト動作、低電力消費などに関連し得る。非ＭＴＣデバイスに適したサンプリングレートを使用する信号処理は、ＭＴＣデバイスの能力に対して高い処理複雑さおよび電力消費を生じ得る。したがって、処理複雑さおよび電力消費を低減するための技法が、ＭＴＣデバイスのために有益であり得る。
【発明の概要】
【０００５】
[0005]説明される特徴は、一般に、ワイヤレス通信システムにおける狭帯域通信のための１つまたは複数の改善されたシステム、方法、および／または装置に関する。いくつかの態様では、１次同期信号（ＰＳＳ：primary synchronization signal）、２次同期信号（ＳＳＳ：secondary synchronization signal）、または物理ブロードキャストチャネル（ＰＢＣＨ：physical broadcast channel）など、共通同期信号が、狭帯域送信において単一のリソースブロック内で送信され得る。共通同期信号のコンテンツが、システム帯域幅の狭帯域領域中の狭帯域データ送信のロケーションを示し得る。狭帯域領域のロケーションは、たとえば、１つまたは複数の広帯域送信内の帯域内（in-band）、広帯域送信帯域幅に隣接するガードバンド帯域幅内、または広帯域送信に隣接しないスタンドアロン帯域幅内にあり得る。共通同期信号は、いくつかの例では、あらかじめ定義された探索周波数内に位置し得、割り振られた狭帯域通信リソースのうちのいくつかのリソース中に存在するアンカー同期チャネルを含み得る。狭帯域データ領域リソースが、狭帯域通信リソースの他の部分中で分配され（distributed）得、送信ダイバーシティを与えるために異なるユーザに割り振られ得る。
【０００６】
[0006]ワイヤレス通信の方法が説明される。本方法は、デバイス発見のための同期情報を含む同期信号の少なくとも一部分の送信のための、１つまたは複数の広帯域送信の広帯域帯域幅内のアンカーリソースを識別することと、ここで、アンカーリソースが、広帯域帯域幅内のあらかじめ定義されたリソースロケーションに位置する１つまたは複数のリソースブロック（ＲＢ）を含み、アンカーリソースを介して同期信号の少なくとも一部分を送信することとを含み得る。
【０００７】
[0007]ワイヤレス通信のための装置が説明される。本装置は、デバイス発見のための同期情報を含む同期信号の少なくとも一部分の送信のための、１つまたは複数の広帯域送信の広帯域帯域幅内のアンカーリソースを識別するための手段と、ここで、アンカーリソースが、広帯域帯域幅内のあらかじめ定義されたリソースロケーションに位置する１つまたは複数のリソースブロック（ＲＢ）を含み、アンカーリソースを介して同期信号の少なくとも一部分を送信するための手段とを含み得る。
【０００８】
[0008]ワイヤレス通信インのための別の装置が説明される。本装置は、プロセッサと、プロセッサと電子通信しているメモリと、メモリに記憶された命令とを含み得る。命令は、プロセッサに、デバイス発見のための同期情報を含む同期信号の少なくとも一部分の送信のための、１つまたは複数の広帯域送信の広帯域帯域幅内のアンカーリソースを識別することと、ここで、アンカーリソースが、広帯域帯域幅内のあらかじめ定義されたリソースロケーションに位置する１つまたは複数のリソースブロック（ＲＢ）を含み、アンカーリソースを介して同期信号の少なくとも一部分を送信することとを行わせるように動作可能であり得る。
【０００９】
[0009]ワイヤレス通信のための非一時的コンピュータ可読媒体が説明される。本非一時的コンピュータ可読媒体は、プロセッサに、デバイス発見のための同期情報を含む同期信号の少なくとも一部分の送信のための、１つまたは複数の広帯域送信の広帯域帯域幅内のアンカーリソースを識別することと、ここで、アンカーリソースが、広帯域帯域幅内のあらかじめ定義されたリソースロケーションに位置する１つまたは複数のリソースブロック（ＲＢ）を含み、アンカーリソースを介して同期信号の少なくとも一部分を送信することとを行わせるように動作可能な命令を含み得る。
【００１０】
[0010]上記で説明された方法、装置、および非一時的コンピュータ可読媒体のいくつかの例では、あらかじめ定義されたリソースロケーションは、広帯域帯域幅の中心周波数からの固定オフセットに位置するＲＢを含む。上記で説明された方法、装置、および非一時的コンピュータ可読媒体のいくつかの例では、アンカーリソースは、デバイス発見において使用するための、同期信号、物理ブロードキャストチャネル（ＰＢＣＨ）、またはシステム情報ブロック（ＳＩＢ：system information block）のうちの１つまたは複数を送信するために使用され得る。
【００１１】
[0011]上記で説明された方法、装置、および非一時的コンピュータ可読媒体のいくつかの例では、アンカーリソースは、狭帯域送信のための第２のリソースを示す情報を含むアンカーリソースを含み、ここで、第２のリソースは、周波数ダイバーシティまたは負荷分散（load balancing）の一方または両方を与えるように選択され得る。上記で説明された方法、装置、および非一時的コンピュータ可読媒体のいくつかの例では、第２のリソースは、アンカーリソースとは異なる狭帯域領域中に位置し得る。
【００１２】
[0012]上記で説明された方法、装置、および非一時的コンピュータ可読媒体のいくつかの例では、同期信号の周期性または電力スペクトル密度（ＰＳＤ：power spectral density）のうちの１つまたは複数が、アンカーリソースのロケーションに基づいて決定され得る。上記で説明された方法、装置、および非一時的コンピュータ可読媒体のいくつかの例では、同期信号は物理ブロードキャストチャネル（ＰＢＣＨ）情報を含み、ここで、ＰＢＣＨ情報のコンテンツが、広帯域帯域幅内の、広帯域帯域幅に隣接するガードバンド帯域幅内の、または広帯域帯域幅から独立していることがあるスタンドアロン帯域幅内の狭帯域領域のロケーションを示す。
【００１３】
[0013]上記で説明された方法、装置、および非一時的コンピュータ可読媒体のいくつかの例では、ＰＢＣＨは、狭帯域領域のロケーションのインジケーション、狭帯域送信のための変更されたシステムフレーム番号、またはＳＩＢ情報のうちの１つまたは複数を含み、ここで、インジケーションは、狭帯域領域のロケーションの直接インジケーションの１つまたは複数を含む。上記で説明された方法、装置、および非一時的コンピュータ可読媒体のいくつかの例では、アンカーリソースは、物理ダウンリンク制御チャネルを送信するために使用され得、ここで、物理ダウンリンク制御チャネルは、狭帯域領域のロケーションのインジケーション、狭帯域送信のための変更されたシステムフレーム番号、またはＳＩＢ情報のうちの１つまたは複数を含む。
【００１４】
[0014]上記で説明された方法、装置、および非一時的コンピュータ可読媒体のいくつかの例では、アンカーリソースは、レガシー基準信号によってパンクチャされるＲＢの複数のシンボルを含む。上記で説明された方法、装置、および非一時的コンピュータ可読媒体のいくつかの例では、アンカーリソースは、レガシー基準信号またはレガシー制御信号のうちの１つまたは複数のためのリソースロケーションを回避するように選択され得る。
【００１５】
[0015]上記で説明された方法、装置、および非一時的コンピュータ可読媒体のいくつかの例は、狭帯域領域のロケーションが広帯域帯域幅内の帯域内にあり得ることを識別するためのプロセス、特徴、手段、または命令をさらに含み得る。上記で説明された方法、装置、および非一時的コンピュータ可読媒体のいくつかの例は、狭帯域送信の送信のための、広帯域帯域幅中で分配される狭帯域リソースを選択するためのプロセス、特徴、手段、または命令をさらに含み得、狭帯域リソースが、送信ダイバーシティを与えるために分配される。
【００１６】
[0016]ワイヤレス通信の方法が説明される。本方法は、デバイス発見のための同期情報を含む同期信号の少なくとも一部分を含んでいる、１つまたは複数の広帯域送信の広帯域帯域幅内のアンカーリソースを識別することと、ここで、アンカーリソースが、広帯域帯域幅内のあらかじめ定義されたリソースロケーションに位置する１つまたは複数のリソースブロック（ＲＢ）を含み、アンカーリソースを介して同期信号の少なくとも一部分を受信することとを含み得る。
【００１７】
[0017]ワイヤレス通信のための装置が説明される。本装置は、デバイス発見のための同期情報を含む同期信号の少なくとも一部分を含んでいる、１つまたは複数の広帯域送信の広帯域帯域幅内のアンカーリソースを識別するための手段と、ここで、アンカーリソースが、広帯域帯域幅内のあらかじめ定義されたリソースロケーションに位置する１つまたは複数のリソースブロック（ＲＢ）を含み、アンカーリソースを介して同期信号の少なくとも一部分を受信するための手段とを含み得る。
【００１８】
[0018]システムにおけるワイヤレス通信のための別の装置が説明される。本装置は、プロセッサと、プロセッサと電子通信しているメモリと、メモリに記憶された命令とを含み得る。命令は、プロセッサに、デバイス発見のための同期情報を含む同期信号の少なくとも一部分を含んでいる、１つまたは複数の広帯域送信の広帯域帯域幅内のアンカーリソースを識別することと、ここで、アンカーリソースが、広帯域帯域幅内のあらかじめ定義されたリソースロケーションに位置する１つまたは複数のリソースブロック（ＲＢ）を含み、アンカーリソースを介して同期信号の少なくとも一部分を受信することとを行わせるように動作可能であり得る。
【００１９】
[0019]ワイヤレス通信のための非一時的コンピュータ可読媒体が説明される。本非一時的コンピュータ可読媒体は、プロセッサに、デバイス発見のための同期情報を含む同期信号の少なくとも一部分を含んでいる、１つまたは複数の広帯域送信の広帯域帯域幅内のアンカーリソースを識別することと、ここで、アンカーリソースが、広帯域帯域幅内のあらかじめ定義されたリソースロケーションに位置する１つまたは複数のリソースブロック（ＲＢ）を含み、アンカーリソースを介して同期信号の少なくとも一部分を受信することとを行わせるように動作可能な命令を含み得る。
【００２０】
[0020]上記で説明された方法、装置、および非一時的コンピュータ可読媒体のいくつかの例では、あらかじめ定義されたリソースロケーションは、広帯域帯域幅の中心周波数からの固定オフセットに位置するＲＢを含む。上記で説明された方法、装置、および非一時的コンピュータ可読媒体のいくつかの例では、アンカーリソースは、狭帯域送信の初期収集（acquisition）において使用するための、同期信号、物理ブロードキャストチャネル（ＰＢＣＨ）、またはシステム情報ブロック（ＳＩＢ）のうちの１つまたは複数を受信するために使用され得る。
【００２１】
[0021]上記で説明された方法、装置、および非一時的コンピュータ可読媒体のいくつかの例では、アンカーリソースは、狭帯域送信のための第２のリソースを示す情報を含み、ここで、第２のリソースは、周波数ダイバーシティまたは負荷分散の一方または両方を与えるように選択され得る。上記で説明された方法、装置、および非一時的コンピュータ可読媒体のいくつかの例では、第２のリソースは、アンカーリソースとは異なる狭帯域領域中に位置し得る。
【００２２】
[0022]上記で説明された方法、装置、および非一時的コンピュータ可読媒体のいくつかの例は、第２のリソースを使用して通信するためのプロセス、特徴、手段、または命令をさらに含み得る。上記で説明された方法、装置、および非一時的コンピュータ可読媒体のいくつかの例は、ＳＩＢ変化に少なくとも部分的に基づいてアンカーリソースを周期的に検査するためのプロセス、特徴、手段、または命令をさらに含み得る。
【００２３】
[0023]上記で説明された方法、装置、および非一時的コンピュータ可読媒体のいくつかの例では、同期信号の周期性または電力スペクトル密度（ＰＳＤ）のうちの１つまたは複数が、アンカーリソースのロケーションに基づいて決定され得る。上記で説明された方法、装置、および非一時的コンピュータ可読媒体のいくつかの例では、同期信号は物理ブロードキャストチャネル（ＰＢＣＨ）情報を含み、ここで、ＰＢＣＨ情報のコンテンツが、広帯域帯域幅内の、広帯域帯域幅に隣接するガードバンド帯域幅内の、または広帯域帯域幅から独立していることがあるスタンドアロン帯域幅内の狭帯域領域のロケーションを示す。
【００２４】
[0024]上記で説明された方法、装置、および非一時的コンピュータ可読媒体のいくつかの例では、ＰＢＣＨは、狭帯域領域のロケーションのインジケーション、狭帯域送信のための変更されたシステムフレーム番号、またはＳＩＢ情報のうちの１つまたは複数を含み、ここで、インジケーションは、狭帯域領域のロケーションの直接インジケーションの１つまたは複数を含む。上記で説明された方法、装置、および非一時的コンピュータ可読媒体のいくつかの例では、アンカーリソースは、物理ダウンリンク制御チャネルを受信するために使用され得、ここで、物理ダウンリンク制御チャネルは、狭帯域領域のロケーションのインジケーション、狭帯域送信のための変更されたシステムフレーム番号、またはＳＩＢ情報のうちの１つまたは複数を含む。
【００２５】
[0025]上記で説明された方法、装置、および非一時的コンピュータ可読媒体のいくつかの例では、アンカーリソースは、レガシー基準信号によってパンクチャされるＲＢの複数のシンボルを含む。上記で説明された方法、装置、および非一時的コンピュータ可読媒体のいくつかの例では、アンカーリソースは、レガシー基準信号またはレガシー制御信号のうちの１つまたは複数のためのリソースロケーションを回避するように選択され得る。
【００２６】
[0026]上記で説明された方法、装置、および非一時的コンピュータ可読媒体のいくつかの例は、同期信号のフォーマットに少なくとも部分的に基づいて、狭帯域領域のロケーションが、１つまたは複数の広帯域送信の広帯域帯域幅内の帯域内にあり得ることを識別するためのプロセス、特徴、手段、または命令をさらに含み得る。上記で説明された方法、装置、および非一時的コンピュータ可読媒体のいくつかの例は、狭帯域送信を受信するための、広帯域帯域幅中で分配される狭帯域リソースを識別するためのプロセス、特徴、手段、または命令をさらに含み得、狭帯域リソースが、狭帯域送信のための送信ダイバーシティを与えるために分配される。
【００２７】
[0027]上記は、以下の詳細な説明がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性は、それらの編成と動作の方法の両方とも、関連する利点とともに、添付の図に関連して以下の説明を検討するとより良く理解されよう。図の各々は、例示および説明のみの目的で提供され、特許請求の範囲の限定を定めるものではない。
【００２８】
[0028]本開示の性質および利点のさらなる理解は、以下の図面を参照して実現され得る。添付の図では、同様のコンポーネントまたは特徴は同じ参照ラベルを有し得る。さらに、同じタイプの様々なコンポーネントは、参照ラベルの後に、ダッシュと、それらの同様のコンポーネント同士を区別する第２のラベルとを続けることによって区別され得る。第１の参照ラベルのみが本明細書において使用される場合、その説明は、第２の参照ラベルにかかわらず、同じ第１の参照ラベルを有する同様のコンポーネントのうちのいずれにも適用可能である。
【図面の簡単な説明】
【００２９】
【図１】[0029]本開示の態様による、狭帯域通信のための共通同期チャネル設計をサポートするワイヤレス通信システムの一例を示す図。
【図２】[0030]本開示の態様による、狭帯域通信のための共通同期チャネル設計をサポートするワイヤレス通信システムの一例を示す図。
【図３】[0031]本開示の態様による、狭帯域通信のための共通同期チャネル設計をサポートするシステム帯域幅内の狭帯域領域の一例を示す図。
【図４】[0032]本開示の態様による、狭帯域通信のための共通同期チャネル設計をサポートする狭帯域同期チャネルのシステム帯域幅および配置の一例を示す図。
【図５】[0033]本開示の態様による、狭帯域データ送信のための狭帯域リソースの割振りと共通同期チャネルとの一例を示す図。
【図６】[0034]本開示の態様による、狭帯域ワイヤレス通信のための同期チャネル技法をサポートするリソース要素マッピングの一例を示す図。
【図７】[0035]本開示の態様による、狭帯域通信のための共通同期チャネル設計をサポートするシステムにおけるプロセスフローの一例を示す図。
【図８】[0036]本開示の態様による、狭帯域通信のための共通同期チャネル設計をサポートするワイヤレスデバイスのブロック図。
【図９】本開示の態様による、狭帯域通信のための共通同期チャネル設計をサポートするワイヤレスデバイスのブロック図。
【図１０】本開示の態様による、狭帯域通信のための共通同期チャネル設計をサポートするワイヤレスデバイスのブロック図。
【図１１】[0037]本開示の態様による、狭帯域通信のための共通同期チャネル設計をサポートするデバイスを含むワイヤレスシステムの図。
【図１２】[0038]本開示の態様による、狭帯域通信のための共通同期チャネル設計をサポートするワイヤレスデバイスのブロック図。
【図１３】本開示の態様による、狭帯域通信のための共通同期チャネル設計をサポートするワイヤレスデバイスのブロック図。
【図１４】本開示の態様による、狭帯域通信のための共通同期チャネル設計をサポートするワイヤレスデバイスのブロック図。
【図１５】[0039]本開示の態様による、狭帯域通信のための共通同期チャネル設計をサポートするデバイスを含むシステムの図。
【図１６】[0040]本開示の態様による、狭帯域通信のための共通同期チャネル設計のための方法を示す図。
【図１７】本開示の態様による、狭帯域通信のための共通同期チャネル設計のための方法を示す図。
【図１８】本開示の態様による、狭帯域通信のための共通同期チャネル設計のための方法を示す図。
【図１９】本開示の態様による、狭帯域通信のための共通同期チャネル設計のための方法を示す図。
【図２０】本開示の態様による、狭帯域通信のための共通同期チャネル設計のための方法を示す図。
【図２１】本開示の態様による、狭帯域通信のための共通同期チャネル設計のための方法を示す図。
【詳細な説明】
【００３０】
[0041]システム帯域幅の狭帯域領域を利用し得るマシンツーマシン（Ｍ２Ｍ）通信のための技法が説明される。システム帯域幅の狭帯域領域は、たとえば、他の広帯域送信とともに帯域内で送信される広帯域送信の単一のリソースブロックであり得る。他の例では、システム帯域幅の狭帯域領域は、広帯域送信帯域幅に隣接するガードバンド中に位置し得るか、または広帯域送信帯域幅に隣接しないスタンドアロン周波数帯域幅中に位置し得る。本開示の様々な態様は、ユーザ機器（ＵＥ）などのデバイスが、発見されたネットワークとの通信を開始するための情報とともに、利用可能なワイヤレス通信ネットワークを発見するために、デバイスによって使用され得る同期チャネルを記載する。
【００３１】
[0042]同期チャネルは、たとえば、あらかじめ定義されたロケーションまたはプリプログラムされたロケーション中に位置し得、これは、初期探索複雑さの低減を通してＵＥの低減された複雑さを可能にし得る。いくつかの例では、アンカー同期チャネルが、あらかじめ定義されたロケーションまたはプリプログラムされたロケーション（たとえば、システム帯域幅内の周波数範囲）において与えられ得、デバイスが、同期信号の少なくとも一部分を収集する（acquire）ためにアンカー同期チャネルを監視し得る。狭帯域データ送信のためのリソースが、システム帯域幅の他のリソースを通して分配され得、これは、狭帯域送信のための負荷分散および送信ダイバーシティ（たとえば、周波数および／または時間ダイバーシティ）を与え得る。
【００３２】
[0043]いくつかの例によれば、同期チャネルのコンテンツは、狭帯域領域が、帯域内にあるのか、スタンドアロンであるのか、ガードバンド内にあるのかなど、狭帯域領域のロケーションのインジケーションを与え得る。そのようなコンテンツは、１次同期信号（ＰＳＳ）、２次同期信号（ＳＳＳ）、物理ブロードキャストチャネル（ＰＢＣＨ）、またはそれらの組合せにおける情報を含み得る。同期チャネルはまた、本開示の様々な態様では、レガシーロングタームエボリューション（ＬＴＥ）制御チャネルまたは基準信号など、広帯域送信のために使用されるレガシー信号との互換性があり得る。いくつかの例では、狭帯域通信の電力スペクトル密度（ＰＳＤ）または周期性が、狭帯域送信のロケーションに基づいて決定され得る。
【００３３】
[0044]述べられたように、本開示の様々な態様は、Ｍ２Ｍ通信、またはマシンタイプ通信（ＭＴＣ）のための技法を提供する。Ｍ２ＭまたはＭＴＣは、自動化されたデバイスが、ほとんどまたはまったく人の介入なしに互いに通信することを可能にするデータ通信技術を指す。たとえば、Ｍ２ＭまたはＭＴＣは、情報を測定またはキャプチャするためにセンサーまたはメーターを組み込み、情報を活用することができる中央サーバまたはアプリケーションプログラムにその情報を中継するか、あるいはプログラムまたはアプリケーションと対話する人間に情報を提示する、デバイスからの通信を指すことがある。そのようなデバイスは、Ｍ２Ｍデバイス、ＭＴＣデバイス、ＭＴＣ  ＵＥ、および／または単にＵＥと呼ばれることがある。
【００３４】
[0045]いくつかの場合には、互いにまたは１つまたは複数のサーバに通信するＭＴＣデバイスのネットワークは、モノのインターネット（ＩｏＴ：Internet of Things）と呼ばれることがある。通信がセルラーネットワーク上で実行される事例では、これは、セルラーＩｏＴ（ＣＩｏＴ）と呼ばれることがある。いくつかの展開では、ＣＩｏＴデバイスは、セルラーネットワークの割り振られた帯域幅の比較的小さい部分を使用して通信し得、これは、狭帯域通信と呼ばれることがある。たとえば、狭帯域通信は、ＬＴＥ広帯域送信の１つのリソースブロック（ＲＢ）を占有するように設計され得る。他の例では、狭帯域通信は、１つのＲＢよりも多いが、利用可能なＬＴＥ送信帯域幅の全量よりも少ないリソースを占有し得る。セルラーネットワークの、割り振られた帯域幅の他の部分、またはシステム帯域幅は、より高いデータレートを有し、本明細書では広帯域通信と呼ばれる通信のために使用され得る。いくつかの例では、狭帯域通信は、ＬＴＥ広帯域帯域幅の１．４メガヘルツ（ＭＨｚ）〜２０ＭＨｚと比較して、無線周波数スペクトル帯域の２００キロヘルツ（ｋＨｚ）を占有し得る。
【００３５】
[0046]いくつかの展開では、ＭＴＣデバイスは、比較的高いＰＳＤを通して達成され得る、１６４ｄＢ最小結合損失（ＭＣＬ：minimum coupling loss）を有し得る。ＭＴＣデバイスは、比較的高い電力効率要件を有し得、ＭＴＣネットワークは、比較的多数のデバイス（たとえば、所与のエリア中の比較的多数の水道メーター、ガスメーター、電気メーター）をルーチン的にサポートし得る。ＭＴＣデバイスは、比較的低コストをも有するように設計され得、したがって、電力効率的な様式で動作するように特別に設計され、狭帯域通信のために使用されるもの以上に大きい量の処理能力を有しないハードウェアコンポーネントを有し得る。上述のように、いくつかの展開では、そのようなＭＴＣデバイスは、２００ｋＨｚチャネル化を用いて動作し得る。
【００３６】
[0047]狭帯域通信を使用する効率的なデバイス発見および同期を行うために、いくつかの態様は、単一のリソースブロック内で送信される、ＰＳＳ、ＳＳＳ、またはＰＢＣＨなど、同期信号を与える。同期信号は、たとえば、単一のＲＢ内の複数の直交周波数分割多重（ＯＦＤＭ）シンボルを使用して送信され得る。本開示のいくつかの態様では、基地局が、システム帯域幅の広帯域領域内の狭帯域送信のための単一のリソースブロックのロケーションのインジケーションを送信し得、ＵＥがそれを受信し得る。ＵＥは、インジケーションに基づいて、狭帯域送信を受信するための１つまたは複数の同期パラメータを識別し得る。ＵＥは、いくつかの例では、ＰＳＳ、ＳＳＳ、ＰＢＣＨ、またはそれらの組合せにおいて送信されたシーケンスに基づいて、狭帯域リソースが帯域内またはスタンドアロン帯域幅中に位置することを識別し得る。
【００３７】
[0048]最初に、本開示の態様がワイヤレス通信システムのコンテキストにおいて説明される。次いで、ＬＴＥシステムにおける狭帯域ＭＴＣ通信のための特定の例が説明される。本開示のこれらおよび他の態様は、さらに、狭帯域ワイヤレス通信のためのデバイス発見のための共通同期チャネル設計に関係する装置図、システム図、およびフローチャートによって示され、それらを参照しながら説明される。
【００３８】
[0049]図１は、本開示の様々な態様による、ワイヤレス通信システム１００の一例を示す。ワイヤレス通信システム１００は、基地局１０５と、ＵＥ１１５と、コアネットワーク１３０とを含む。いくつかの例では、ワイヤレス通信システム１００はＬＴＥ／ＬＴＥアドバンスト（ＬＴＥ−Ａ）ネットワークであり得る。
【００３９】
[0050]基地局１０５は、１つまたは複数の基地局アンテナを介してＵＥ１１５とワイヤレス通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末、ハンドセット、ユーザエージェント、クライアント、ＭＴＣまたはＭ２Ｍデバイス、ＣＩｏＴデバイス、あるいは何らかの他の好適な用語で呼ばれることもある。ＵＥ１１５はまた、セルラーフォン、ワイヤレスモデム、ハンドヘルドデバイス、パーソナルコンピュータ、タブレット、パーソナル電子デバイスなどであり得る。
【００４０】
[0051]基地局１０５は、コアネットワーク１３０および互いと通信し得る。たとえば、基地局１０５は、バックホールリンク１３２（たとえば、Ｓ１など）を通してコアネットワーク１３０とインターフェースし得る。基地局１０５は、直接または間接的にのいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。
【００４１】
[0052]上述のように、いくつかのタイプのワイヤレスデバイスは、自動化された通信を提供し得る。自動化されたワイヤレスデバイスは、Ｍ２Ｍ通信またはＭＴＣを実装するものを含み得る。Ｍ２ＭまたはＭＴＣは、上述のように、デバイスが人の介入なしに互いにまたは基地局１０５と通信することを可能にするデータ通信技術を指すことがある。たとえば、Ｍ２ＭまたはＭＴＣは、情報を測定またはキャプチャするためにセンサーまたはメーターを組み込み、情報を活用することができる中央サーバまたはアプリケーションプログラムにその情報を中継するか、あるいはプログラムまたはアプリケーションと対話する人間に情報を提示する、デバイスからの通信を指すことがある。
【００４２】
[0053]いくつかのＵＥ１１５は、情報を集めるか、または機械の自動化された挙動を可能にするように設計されたものなど、ＭＴＣデバイスであり得る。ＭＴＣデバイスのための適用例の例としては、ほんのいくつかの例を挙げれば、スマートメータリング、スマートスイッチ、インベントリ監視、水位監視、機器監視、ヘルスケア監視、野生生物監視、天候および地質学的事象監視、フリート（fleet）管理およびトラッキング、リモートセキュリティ検知、物理的アクセス制御、ならびにトランザクションベースのビジネスの課金がある。ＭＴＣデバイスは、低減されたピークレートにおいて半二重（half-duplex）（一方向）通信を使用して動作し得る。ＭＴＣデバイスはまた、アクティブ通信に参加しているとき、電力節約「ディープスリープ」モードに入るように構成され得る。本開示の様々な態様によれば、ＭＴＣデバイスは、他の広帯域通信の帯域幅内に、広帯域通信に関連するガードバンド内に、または他の広帯域通信の帯域幅の外部に位置し得る、狭帯域通信を使用して動作し得る。狭帯域通信が、ガードバンド中に、またはさもなければ他の広帯域通信の外部に位置する場合、狭帯域通信は、スタンドアロン帯域幅を有するものと呼ばれることがある。
【００４３】
[0054]上述のように、本開示の様々な態様は、狭帯域通信を使用するデバイス発見および同期のための技法を提供する。いくつかの例では、ワイヤレスネットワークにアクセスすることを試みるＵＥ１１５は、基地局１０５からのＰＳＳを検出することによって、初期セル探索を実行し得る。ＰＳＳは、スロットタイミングの同期を可能にし得、物理レイヤ識別情報値を示し得る。ＵＥ１１５は、次いで、ＳＳＳを受信し得る。ＳＳＳは、無線フレーム同期を可能にし得、セルを識別するための物理レイヤ識別情報値と組み合わせられ得る、セル識別情報値を与え得る。ＳＳＳはまた、複信モードおよびサイクリックプレフィックス長の検出を可能にし得る。時分割複信（ＴＤＤ）システムなど、いくつかのシステムは、ＳＳＳを送信するが、ＰＳＳを送信しないことがある。確立された広帯域技法による、ＰＳＳとＳＳＳの両方が、それぞれ、キャリアの中心の６２個と７２個のサブキャリア中に位置し得る。
【００４４】
[0055]本開示のいくつかの態様では、ＰＳＳとＳＳＳとは、単一のＲＢ内にＰＳＳまたはＳＳＳをもつ単一のＯＦＤＭシンボルを有し得るいくつかの広帯域展開と比較して、単一のＲＢ内に位置し得る。ＰＳＳとＳＳＳとを受信した後に、ＵＥ１１５は、物理ブロードキャストチャネル（ＰＢＣＨ）中で送信され得る、マスタ情報ブロック（ＭＩＢ：master information block）を受信し得る。ＭＩＢは、システム帯域幅情報と、システムフレーム番号（ＳＦＮ：system frame number）と、物理ハイブリッド自動再送要求（ＨＡＲＱ：hybrid automatic repeat request）インジケータチャネル（ＰＨＩＣＨ：physical HARQ indicator channel）構成とを含んでいることがある。ＭＩＢを復号した後に、ＵＥ１１５は、１つまたは複数のシステム情報ブロック（ＳＩＢ）を受信し得る。たとえば、ＳＩＢ１は、セルアクセスパラメータと他のＳＩＢのためのスケジューリング情報とを含んでいることがある。ＳＩＢ１を復号することは、ＵＥ１１５がＳＩＢ２を受信することを可能にし得る。ＳＩＢ２は、ランダムアクセスチャネル（ＲＡＣＨ）プロシージャと、ページングと、物理アップリンク制御チャネル（ＰＵＣＣＨ）と、物理アップリンク共有チャネル（ＰＵＳＣＨ）と、電力制御と、サウンディング基準信号（ＳＲＳ）と、セル禁止とに関係する無線リソース制御（ＲＲＣ）構成情報を含んでいることがある。初期セル同期を完了した後に、ＵＥ１１５は、ネットワークにアクセスするより前にＭＩＢと、ＳＩＢ１と、ＳＩＢ２とを復号し得る。ＭＩＢは、ＰＢＣＨ上で送信され得、ＲＢ単位の（in term of RBs）ＤＬチャネル帯域幅、ＰＨＩＣＨ構成（持続時間およびリソース割当て）、およびＳＦＮを含む、ＵＥ初期アクセスのためのいくつかの情報を搬送し得る。新しいＭＩＢは、周期的にブロードキャストされ、フレーム（１０ｍｓ）ごとに再ブロードキャストされ得る。ＭＩＢを受信した後に、ＵＥは１つまたは複数のＳＩＢを受信し得る。
【００４５】
[0056]異なるＳＩＢが、搬送されるシステム情報のタイプに従って定義され得る。ＳＩＢ１は、セル識別情報を含む、アクセス情報を含み得、それは、ＵＥ１１５がセルにキャンプオンすることが可能にされるかどうかを示し得る。ＳＩＢ１はまた、セル選択情報（または、セル選択パラメータ）を含み得る。さらに、ＳＩＢ１は、他のＳＩＢのためのスケジューリング情報を含む。ＳＩＢ２は、ＳＩＢ１中の情報に従って動的にスケジュールされ得、共通および共有チャネルに関係するアクセス情報およびパラメータを含み得る。ＳＩＢ２の周期性は、たとえば、８つ、１６個、３２個、６４個、１２８個、２５６個、または５１２個の無線フレームに設定され得る。
【００４６】
[0057]ＬＴＥシステムは、ＤＬ上ではＯＦＤＭＡを利用し、ＵＬ上ではシングルキャリア周波数分割多元接続（ＳＣ−ＦＤＭＡ）を利用し得る。ＯＦＤＭＡおよびＳＣ−ＦＤＭＡは、システム帯域幅を、一般にトーンまたはビンとも呼ばれる複数（Ｋ個）の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、それぞれ、１．４、３、５、１０、１５、または２０ＭＨｚの（ガードバンドをもつ）対応するシステム帯域幅に対して、１５ｋＨｚのサブキャリア間隔の場合、７２、１８０、３００、６００、９００、または１２００に等しくなり得る。システム帯域幅はまた、サブバンドに区分され得る。たとえば、サブバンドは１．０８ＭＨｚをカバーし得、１つ、２つ、４つ、８つまたは１６個のサブバンドがあり得る。上述のように、狭帯域リソースを使用してＭＴＣ通信を行う例では、対応する狭帯域帯域幅は２００ｋＨｚであり得、これは、サブキャリアの１８０ｋＨｚおよび２０ｋＨｚガードバンドを含み得る。そのような例では、狭帯域通信はＬＴＥシステム帯域幅の単一のＲＢを占有し得、１２個のサブキャリアがあり得る。
【００４７】
[0058]フレーム構造は、物理リソースを編成するために使用され得る。フレームは、１０ｍｓ間隔であり得、それは、１０個の等しいサイズのサブフレームにさらに分割され得る。各サブフレームは、２つの連続するタイムスロットを含み得る。各スロットは、６つまたは７つのＯＦＤＭＡシンボル期間を含み得る。リソース要素は、１つのシンボル期間と１つのサブキャリア（１５ｋＨｚ周波数範囲）とからなる。リソースブロックは、周波数領域中に１２個の連続するサブキャリアを含んでおり、各ＯＦＤＭシンボル中のノーマルサイクリックプレフィックスについて、時間領域（１つのスロット）中に７つの連続するＯＦＤＭシンボルを含んでおり、すなわち８４個のリソース要素を含んでいることがある。いくつかのリソース要素は、ＤＬ基準信号（ＤＬ−ＲＳ）を含み得る。ＤＬ−ＲＳは、共通基準信号とも呼ばれる、セル固有基準信号（ＣＲＳ）と、ＵＥ固有ＲＳ（ＵＥ−ＲＳ）とを含み得る。ＵＥ−ＲＳは、物理ダウンリンク共有チャネル（ＰＤＳＣＨ）に関連するリソースブロック上で送信され得る。各リソース要素によって搬送されるビット数は、変調方式（各シンボル期間中に選択され得るシンボルの構成）に依存し得る。したがって、ＵＥが受信するリソースブロックが多いほど、また変調方式が高いほど、データレートは高くなり得る。
【００４８】
[0059]述べられたように、基地局１０５は、ＵＥ１１５のチャネル推定およびコヒーレント復調を助けるために、ＣＲＳなどの周期パイロットシンボルを挿入し得る。ＣＲＳは、５０４個の異なるセル識別情報のうちの１つを含み得る。それらは、それらを雑音および干渉に対して耐性がある（resilient）ようにするために、４位相シフトキーイング（ＱＰＳＫ）とブーストされた（たとえば、周囲のデータ要素よりも高い６ｄＢにおいて送信された）電力とを使用して変調され得る。ＣＲＳは、受信ＵＥ１１５のアンテナポートまたはレイヤの数（最高４つ）に基づいて各リソースブロック中の４〜１６個のリソース要素中に埋め込まれ得る。
【００４９】
[0060]基地局１０５のカバレージエリア１１０中のすべてのＵＥ１１５によって利用され得るＣＲＳに加えて、復調基準信号（ＤＭＲＳ）は、特定のＵＥ１１５を対象とし得、それらのＵＥ１１５に割り当てられたリソースブロック上で送信され得る。ＤＭＲＳは、それらが送信される各リソースブロック中の６つのリソース要素上に信号を含み得る。異なるアンテナポートのためのＤＭ−ＲＳは、それぞれ、同じ６つのリソース要素を利用し得、（たとえば、異なるリソース要素中で１または−１の異なる組合せで各信号をマスキングする）異なる直交カバーコードを使用して区別され得る。いくつかの場合には、ＤＭＲＳの２つのセットは、隣接するリソース要素中で送信され得る。いくつかの場合には、チャネル状態情報基準信号（ＣＳＩ−ＲＳ）として知られる追加の基準信号が、チャネル状態情報（ＣＳＩ）を生成するのを助けるために含まれ得る。ＵＬ上で、ＵＥ１１５は、それぞれ、リンク適応および復調のための周期的ＳＲＳとＵＬ  ＤＭＲＳの組合せを送信し得る。ＤＭＲＳ送信は、特定のＵＥ１１５のための特定のプリコーディング行列インジケータ（ＰＭＩ：precoding matrix indicator）に従ってプリコーディングされ得る。いくつかの例では、狭帯域通信を送信するとき、基地局１０５は、単一ＲＢ狭帯域通信における送信に同じプリコーディング行列を適用し得、これは、ＵＥ１１５がＣＲＳ送信に依拠することなしに信号を受信することを可能にし得る。
【００５０】
[0061]本開示の様々な態様は、ＬＴＥワイヤレス通信ネットワークにおける狭帯域通信のための技法を提供する。いくつかの態様では、狭帯域ＭＴＣ通信は、広帯域ＬＴＥ通信のために使用されるいくつかのＲＢのうちの単一のＲＢを使用して送信され得る。狭帯域通信を使用する効率的なデバイス発見および同期を行うために、いくつかの態様は、単一のＲＢ内で送信される、ＰＳＳまたはＳＳＳなど、同期信号を与える。同期信号は、たとえば、あらかじめ定義されたロケーションまたはプリプログラムされたロケーション中に位置し得、これは、初期探索複雑さの低減を通してＵＥの低減された複雑さを可能にし得る。
【００５１】
[0062]いくつかの例では、アンカー同期チャネルが、あらかじめ定義されたロケーションまたはプリプログラムされたロケーション（たとえば、システム帯域幅内のワイヤレス送信リソース）において与えられ得、デバイスが、同期信号の少なくとも一部分を収集するためにアンカー同期チャネルを監視し得る。狭帯域データ送信のためのリソースが、システム帯域幅の他のリソースを通して分配され得、これは、狭帯域送信のための負荷分散および送信ダイバーシティ（たとえば、周波数および／または時間ダイバーシティ）を与え得る。いくつかの例によれば、同期チャネルのコンテンツは、狭帯域領域が、帯域内にあるのか、スタンドアロンであるのか、ガードバンド内にあるのかなど、狭帯域領域のロケーションのインジケーションを与え得る。そのようなコンテンツは、ＰＳＳ、ＳＳＳ、ＰＢＣＨ、またはそれらの組合せにおける情報を含み得る。同期チャネルはまた、本開示の様々な態様では、レガシーＬＴＥ制御チャネルまたは基準信号など、広帯域送信のために使用されるレガシー信号との互換性があり得る。いくつかの例では、狭帯域通信のＰＳＤまたは周期性が、狭帯域送信のロケーションに基づいて決定され得る。
【００５２】
[0063]図２は、本開示の様々な態様による、狭帯域ワイヤレス通信のためのデバイス発見のための共通同期チャネル設計を採用し得るワイヤレス通信システム２００の一例を示す。ワイヤレス通信システム２００は、図１を参照しながら説明されたＵＥ１１５基地局１０５の例であり得る、ＵＥ１１５−ａと基地局１０５−ａとを含み得る。
【００５３】
[0064]いくつかの例では、ＵＥ１１５−ａは、狭帯域通信を使用して基地局１０５−ａと通信し得る、スマートメーターなど、ＭＴＣデバイスである。デバイス発見および同期を実行するために、基地局１０５−ａは、ＰＳＳ、ＳＳＳ、またはＰＢＣＨなど、同期信号を生成し、狭帯域リソースを使用して同期信号を送信し得る。ＵＥ１１５−ａは、同期信号を受信し、それに基づいて狭帯域領域中の送信の１つまたは複数のパラメータを同期させ得る。いくつかの例では、同期信号の復号は、狭帯域送信が、広帯域送信の送信帯域幅（たとえば、広帯域ＬＴＥ送信におけるＬＴＥ  ＲＢ）内の帯域内に位置するのか、広帯域送信帯域幅の外部（たとえば、スタンドアロン帯域幅中）に位置するのかに依存し得る。狭帯域送信が広帯域送信帯域幅内の帯域内にある場合、基地局１０５−ａは、ＲＢのロケーションを識別し、ロケーションのインジケーションをＵＥ１１５−ａに送信し得る。そのようなインジケーションは、いくつかの例では、システム帯域幅の総広帯域帯域幅と、単一のＲＢのロケーションを示すＲＢインデックスとを含み得る。他の例では、インジケーションは、単に、広帯域帯域幅の開始からのＲＢオフセットを示し得る。
【００５４】
[0065]図３は、本開示の様々な態様による、狭帯域ワイヤレス通信のためのダウンリンクおよび同期技法をサポートする、システム帯域幅内の狭帯域領域の例３００を示す。例３００は、狭帯域通信を使用して動作し得る、図１〜図２を参照しながら説明されたＵＥ１１５および基地局１０５など、ワイヤレスネットワークデバイスによって使用され得る。
【００５５】
[0066]図３の例では、総システム帯域幅３０５は、基地局１０５またはＵＥ１１５などのデバイスがワイヤレス通信のために使用し得る周波数の範囲を含み得る。システム帯域幅３０５は、ＬＴＥ広帯域帯域幅３１０、１つまたは複数のガードバンド帯域幅３１５（たとえば、２０ＭＨｚ広帯域ＬＴＥ帯域幅のエッジに位置する１ＭＨｚ帯域）、または（１つまたは複数の）他の帯域幅３２０（たとえば、モバイル通信用グローバルシステム（ＧＳＭ（登録商標）：Global System for Mobile communications）システムに関連する帯域幅）を含み得る。ＬＴＥ広帯域帯域幅３１０は、広帯域送信のために使用され得、第１の狭帯域領域３３０−ａ（たとえば、帯域内狭帯域領域）と同期チャネル３３５とを含み得る、広帯域データ領域３２５を含み得る。
【００５６】
[0067]第２の狭帯域領域３３０−ｂが、ＬＴＥ広帯域帯域幅３１０に隣接するガードバンド帯域幅３１５中のスタンドアロン狭帯域通信のために与えられ得る。第３の狭帯域領域３３０−ｃも、スタンドアロン狭帯域通信のために与えられ得、たとえば、ＧＳＭ通信のために割り振られた帯域幅など、何らかの他の帯域幅３２０中に位置し得る。本明細書で説明される様々な例によれば、帯域内という用語は、広帯域帯域幅中に（たとえば、２０ＭＨｚ  ＬＴＥ広帯域帯域幅の信号部分内に）収まり得る１８０ｋＨｚ設計を指すために使用され得、ガードバンドという用語は、広帯域帯域幅のガードバンド領域（たとえば、２０ＭＨｚ  ＬＴＥ広帯域帯域幅の１ＭＨｚエッジ）中に収まり得る１８０ｋＨｚ設計を指すために使用され得、スタンドアロンという用語は、総帯域幅の２００ｋＨｚ中に収まり得る１８０ｋＨｚ設計を指すことがある。
【００５７】
[0068]いくつかの例では、第１の狭帯域領域３３０−ａ、第２の狭帯域領域３３０−ｂ、および第３の狭帯域領域３３０−ｃは、広帯域データ領域３２５の単一のＲＢ（たとえば、１２個のサブキャリア）を占有するであろうリソースを含み得る。一例では、（たとえば、２０ＭＨｚキャリアの場合）広帯域データ領域３２５は、１００個のＲＢ（１２００個のサブキャリア）を含み得る。特定の狭帯域領域３３０−ａ、３３０−ｂ、または３３０−ｃは、ほんの２つの例を挙げると、ＬＴＥ広帯域帯域幅３１０の外部にある１つまたは複数の周波数帯域の利用可能性、他のデバイスによるＬＴＥ広帯域帯域幅３１０の使用など、様々な展開パラメータに基づいて、狭帯域通信のために構成され得る。
【００５８】
[0069]いくつかの例では、同期チャネル３３５は、狭帯域データ送信が、第１の狭帯域領域３３０−ａ、第２の狭帯域領域３３０−ｂ、または第３の狭帯域領域３３０−ｃ中のリソースを使用するかどうかにかかわらず使用され得る共通同期チャネルであり得る。いくつかの例では、同期チャネル３３５は、１８０ｋＨｚサブキャリア中に収まり得、他の基地局１０５またはＵＥ１１５など、システム帯域幅３０５を使用して動作する他のデバイスへの干渉を最小限に抑え得る。同期チャネル３３５はまた、いくつかの例では、帯域内展開との後方互換性を可能にし得、これは、同期チャネル３３５を探索するＵＥ１１５について、低減された電力消費を生じ得る。本開示の様々な態様の同期チャネル３３５は、比較的低い電力、比較的低い処理複雑さを用いて、比較的大きいカバレージエリアにわたって、および大きい初期周波数オフセットを扱うアビリティを用いて、同期信号（たとえば、ＰＳＳ／ＳＳＳ／ＰＢＣＨ）を探索し、受信するための能力をＵＥ１１５に与え得る。
【００５９】
[0070]図４は、本開示の様々な態様による、広帯域帯域幅内の狭帯域同期チャネルのシステム帯域幅および配置の例４００を示す。例４００は、図１〜図２を参照しながら説明されたＵＥ１１５および基地局１０５など、ワイヤレスネットワークデバイスによって使用され得る。いくつかの展開では、いくつかのＲＢ４１５（たとえば、広帯域ＲＢ）が、レガシーＬＴＥ通信に従ってなど、基地局１０５と様々なＵＥ１１５との間の広帯域送信のために使用され得る。狭帯域ＭＴＣタイプＵＥ１１５は、ＬＴＥ広帯域帯域幅４０５とガードバンド帯域幅４１０とを含み得るシステム帯域幅の狭帯域領域を使用する通信のサブセットを受信するように構成され得る。
【００６０】
[0071]いくつかの例では、システム帯域幅は、図３に関して上記で説明されたような、別個のスタンドアロン帯域幅をも含み得る。いくつかの例では、狭帯域通信は、ガードバンド帯域幅４１０中で送信され得る。他の例では、狭帯域通信は、狭帯域送信のために、構成されたＲＢ４１５中で送信され得、これは、基地局１０５によってサービスされ得るＵＥ１１５に基地局１０５によってシグナリングされ得る。いくつかの例では、狭帯域送信のロケーションにかかわらず、狭帯域同期信号が、あらかじめ定義されたかまたはプリプログラムされた狭帯域同期（ＮＢ−ＳＹＮＣ）チャネルリソース４２０を使用して与えられ得る。
【００６１】
[0072]通信を受信するＵＥ１１５は、本開示の様々な態様によれば、狭帯域同期チャネルリソース４２０を識別し、狭帯域同期チャネルリソース４２０内の同期信号の探索を実行するように構成され得る。たとえば、ＬＴＥ広帯域帯域幅４０５内の狭帯域同期チャネルリソース４２０のロケーションが、仕様において定義され得る。他の例では、ＵＥ１１５は、ＵＥ１１５に関連するネットワーク事業者によって狭帯域同期チャネルリソース４２０内の同期信号の探索を実行するようにプログラムされ得る。
【００６２】
[0073]いくつかの場合には、狭帯域同期チャネルリソース４２０内の同期チャネルの位置を特定することを試みるとき、ＵＥ１１５のための探索複雑さを低減するために、あらかじめ定義されたＲＢマッピングが使用され得る。たとえば、帯域内展開では、同期チャネルを送信するために任意のＲＢ４１５が選択され得る場合、いくつかの追加の「ラスタ」探索が、ＵＥ１１５にとって禁止的（prohibitive）であり得る。したがって、アンカー狭帯域同期（ＮＢ−ＳＹＮＣ）チャネルが、ＬＴＥ広帯域帯域幅４０５の中心周波数からの固定オフセットを用いてあらかじめ定義され得る。いくつかの例では、ＵＥ１１５は、中心ラスタパターンからの固定オフセットを用いた探索を始め得、探索は、中心の６つのＲＢ内から、またはただ、６つの物理リソースブロック（ＰＲＢ）の外部で開始する場合、ＬＴＥ広帯域帯域幅４０５全体に無関心であり得る。いくつかの場合には、６つのＰＲＢの外部で探索を始めることによって、ＰＳＳ、ＳＳＳ、またはＰＢＣＨとの衝突が回避され得る。
【００６３】
[0074]いくつかの例では、送信オーバーヘッドを低減するために、アンカー同期チャネルが使用され得る。複数の狭帯域領域が帯域内展開またはスタンドアロン展開のために使用されるとき、それらの領域のすべてのための同期チャネルおよびブロードキャストチャネルを送信することは非効率的であり得る。したがって、ＮＢ−ＳＹＮＣチャネル、狭帯域ＰＢＣＨ（ＮＢ−ＰＢＣＨ）、および／または狭帯域システム情報ブロック（ＮＢ−ＳＩＢ）内のアンカー同期チャネルが、初期収集のために使用され得る。たとえば、ＵＥ１１５は、アンカー同期チャネルから探索を始め得る。いくつかの場合には、ＵＥ１１５は、負荷分散のために他のデータ領域（たとえば、狭帯域モノのインターネット（ＮＢ−ＩｏＴ：narrowband Internet-of-Things）データ領域）に再同調（retuned）または再分配され得る。いくつかの場合には、ＵＥ１１５は、アンカー同期チャネルを周期的に検査するか、またはＳＩＢの変化についてページングされ得る。
【００６４】
[0075]狭帯域通信のためのＬＴＥ  ＲＢの再利用を通して、ＬＴＥシステムの様々な上位レイヤが、そのようなシステムのハードウェアとともに、かなりの量の追加のオーバーヘッドなしに効率的な様式で利用され得る。そのような技法はまた、フラグメンテーション（fragmentation）を回避し得る（たとえば、デバイスが、異なる量の送信帯域幅を使用する通信技法を実装し得る）。単一のＲＢを占有する狭帯域信号を使用するとき、ＵＥ１１５は、狭帯域信号を使用するセル探索を実行し得、したがって、ＵＥ１１５は、狭帯域通信のための構成されたＲＢがＬＴＥ広帯域帯域幅４０５内に配置されること、または、ＲＢが、ＬＴＥ広帯域帯域幅４０５内にない周波数帯域中でスタンドアロン展開において送信されるかどうかを知らないことがある。さらに、単一のＲＢがＬＴＥ広帯域帯域幅４０５内の狭帯域通信のために予約されるときでも、トラッキングループのためにレガシーＵＥによって使用されるＣＲＳトーンなど、いくつかのレガシーＬＴＥ信号が、依然として、このＲＢ中で送信され得る。
【００６５】
[0076]レガシー制御領域（たとえば、物理ダウンリンク制御チャネル（ＰＤＣＣＨ））も、レガシーＵＥのためにそのような単一のＲＢ中に存在し得る。スタンドアロン構成では、レガシーＵＥがそのような構成においてサービスされないことになるので、これらの信号を送信する必要がない。本開示のいくつかの態様では、狭帯域データと狭帯域同期信号とを含む狭帯域通信が、レガシーＬＴＥ制御または基準信号に干渉しないリソースを使用して送信され得る。本開示の様々な態様は、以下でより詳細に説明されるように、ＵＥ１１５が、複数の異なるタイプの展開における狭帯域送信を使用するデバイス発見および同期を実行することを可能にし得る同期信号（たとえば、ＰＳＳおよびＳＳＳ）およびＰＢＣＨ信号を与える。
【００６６】
[0077]図５は、本開示の様々な態様による、狭帯域送信のための狭帯域リソースの割振りと共通同期チャネルの例５００を示す。例５００は、図１〜図２を参照しながら説明されたＵＥ１１５および基地局１０５など、ワイヤレスネットワークデバイスによって使用され得る。いくつかの例では、帯域内帯域幅またはスタンドアロン帯域幅など、帯域幅５０５内の複数の狭帯域領域のために、狭帯域リソースの各々中で同期チャネルおよびブロードキャストチャネルを送信することは、非効率的であり得る。例５００など、いくつかの例では、一部の狭帯域リソースは同期チャネル送信のために利用され得、残りの狭帯域リソースはデータ通信のために使用され得る。
【００６７】
[0078]図５の例５００では、アンカー同期チャネル５２０が狭帯域リソースの周期サブセット５１０中で送信され得る。アンカー同期チャネル５２０（ＮＢ−ＳＹＮＣ）はまた、ＵＥ１１５による初期収集のためにＮＢ−ＰＢＣＨおよびＮＢ−ＳＩＢを与え得る。狭帯域リソースはまた、狭帯域リソースの第１のセット５２５と狭帯域リソースの第２のセット５３０とを含み得る周期データ送信領域５１５を含む。狭帯域リソースの第１のセット５２５は、狭帯域リソースの第２のセット５３０からの周波数ダイバーシティを有するリソースを与え得る。そのような様式で、狭帯域デバイスの第１のグループは、狭帯域デバイスの第１のグループへの送信において周波数ダイバーシティを与えるように、第１の時間期間中に狭帯域リソースの第１のセット５２５を使用し得、第２の時間期間中に狭帯域リソースの第２のセット５３０を使用し得る。同様に、狭帯域デバイスの第２のグループは、狭帯域デバイスの第２のグループへの送信において周波数ダイバーシティを与えるように、第１の時間期間中に狭帯域リソースの第２のセット５３０を使用し得、第２の時間期間中に狭帯域リソースの第１のセット５２５を使用し得る。
【００６８】
[0079]したがって、デバイスのすべては、アンカー同期チャネル５２０から開始し、次いで、送信ダイバーシティのために他の狭帯域リソース５２５および５３０に再同調ならびに／または再分配され得る。さらに、他の狭帯域リソース５２５および５３０へのデバイスのそのような分配は、負荷分散を与え得る。狭帯域ＵＥ１１５は、いくつかの例では、ＳＩＢ変化についてアンカーリソース中に位置するアンカー同期チャネル５２０を周期的に検査し得るか、またはＳＩＢ変化の場合にページングされ得る。いくつかの場合には、ＵＥ１１５は１つの受信アンテナを有し得、狭帯域通信における１つのＲＢの使用は、通信におけるダイバーシティのための機会を与えないことがある。しかしながら、例４００などにおける狭帯域リソースの分配は、異なる狭帯域データ領域の間の再同調および周波数ホッピングが周波数ダイバーシティを達成することを可能にし得る。いくつかの例では、基地局１０５からの空間周波数ブロッキングコード（ＳＦＢＣ：space frequency blocking code）など、追加の送信ダイバーシティが考慮され得る。
【００６９】
[0080]図６は、本開示の様々な態様による、狭帯域ワイヤレス通信のための同期チャネル技法をサポートするリソース要素マッピング６００の一例を示す。リソース要素マッピング６００は、狭帯域通信を使用して動作し得る、図１〜図２を参照しながら説明されたＵＥ１１５および基地局１０５など、ワイヤレスネットワークデバイスによって使用され得る。上述のように、広帯域通信の帯域幅内にある通信の場合、様々な基準信号（たとえば、ＣＲＳ）が、いくつかのＲＢのいくつかのリソース要素中で送信されるように構成され得る。さらに、いくつかの同期信号（たとえば、ＰＳＳおよび／またはＳＳＳ）が、デバイス発見および同期のために与えられ得る。
【００７０】
[0081]図６の例では、サブフレーム６０５は、狭帯域ＲＢ６１０を含む、いくつかのＲＢを含み得る。この例では、レガシーＬＴＥ  ＣＲＳリソース要素（ＲＥ）６１５が、ＲＢのシンボル０、４、７、および１１中に位置し得る。いくつかの例では、ＲＢ６１０−ａおよび６１０−ｂが、連続するサブフレーム６０５中で与えられ得る。さらに、レガシーＬＴＥ  ＰＤＣＣＨ  ＲＥ６２０が、ＲＢ６１０の第１の２つのシンボル中で与えられ得る。いくつかの例によれば、ＰＳＳ  ＲＥ６２５が、複数の連続するＯＦＤＭシンボル中で与えられ得、ＳＳＳ  ＲＥ６３０が、第１のＲＢ６１０−ａの複数の連続するＯＦＤＭシンボル中で与えられ得る。そのような様式で、同期信号全体が単一のＲＢ中に含まれていることがあり、したがって、単一のＲＢ６１０−ａを受信するＵＥ１１５は、広帯域送信において単一のＲＢを占有する狭帯域送信を受信すると、デバイス発見および同期を実行し得る。上記で説明されたように、ＣＲＳ  ＲＥ６１５はいくつかのＯＦＤＭシンボル中に存在し得、図６の例では、これらのＣＲＳ  ＲＥ６１５は、ＰＳＳ  ＲＥ６２５およびＳＳＳ  ＲＥ６３０をパンクチャする（puncture）。いくつかの例では、基地局１０５は、ＣＲＳ  ＲＥ６１５を含んでいないシンボル中で送信されるように、ＰＳＳ／ＳＳＳ送信を構成し得る。いくつかの例では、基地局１０５は、第１のＲＢ６１０−ａを含んでいるサブフレームを、マルチキャスト／ブロードキャストオーバー単一周波数ネットワーク（ＭＢＳＦＮ：multicast/broadcast over a single frequency network）サブフレームとして構成し得、したがって、ＣＲＳは、そのサブフレーム中に存在しない。第２のＲＢ６１０−ｂは、いくつかの例によれば、ＤＭＲＳを使用して送信され得るＰＢＣＨ  ＲＥ６３５を含み得る。
【００７１】
[0082]したがって、共通同期チャネルの使用は、帯域内展開では、ＣＲＳ  ＲＥ６１５との後方互換性があり得る。いくつかの場合には、他のＵＥ１１５に対する影響を最小限に抑えるために、たとえば、送信の第１および第６のサブフレーム（ＳＦ）中の（たとえば無線フレームのＳＦ０およびＳＦ５中の）ＰＳＳ、ＳＳＳ、およびＰＢＣＨなど、他のワイヤレス通信システムに従って、ある信号送信が維持され得る。同様に、（たとえばシンボル０、４、７、１１中の）ＣＲＳと、ＰＤＣＣＨ領域とが使用され得る。したがって、ＮＢ−ＳＹＮＣチャネルは、レガシーＬＴＥ  ＰＳＳ／ＳＳＳ／ＰＢＣＨを回避するために異なるサブフレーム（たとえば、ＳＦ１およびＳＦ６）中で送信され得るか、または、ＮＢ−ＳＹＮＣチャネルは、いくつかの例によれば、中心の６つのＲＢの外部で送信され得る。いくつかの場合には、ＮＢ−ＳＹＮＣチャネルは、ＣＲＳシンボルを用いたＣＲＳパンクチャリングを用いてシンボル３〜１３中で送信され得る。いくつかの例では、ワイヤレスデバイス（たとえば、ＮＢ−ＩｏＴデバイス）は、スタンドアロン展開において送信されたＣＲＳまたはＰＤＣＣＨがないと仮定し得る。
【００７２】
[0083]いくつかの例では、帯域内展開またはスタンドアロン展開の早期インジケーションが、より大きい通信効率を可能にするために使用され得る。いくつかの場合には、スタンドアロンチャネル設計を使用する展開は、レガシー信号のオーバーヘッドなしに、より効率的にされ得、展開が帯域内であるのかスタンドアロン／ガードバンドであるのかの早期インジケーションが使用され得る。いくつかのワイヤレスシステムでは、ＰＳＳ／ＳＳＳ位置が、ＴＤＤ通信またはＦＤＤ通信を示すために使用され得る。その結果、帯域内展開対（ガードバンドを含む）スタンドアロン展開のインジケーションの場合、ＮＢ−ＳＹＮＣシーケンス選択および示されたＮＢ−ＳＹＮＣ位置があり得る。いくつかの場合には、ＮＢ−ＳＹＮＣの位相フリップ（phase flipping）があり得、ここで、ドップラーシフトでのエラーがないことがある。いくつかの場合には、ＳＳＳまたはＰＢＣＨから開始することによって、スタンドアロン展開およびガードバンド展開は、他のワイヤレス通信システムにおいて使用されるチャネルの考慮なしに使用され得る。
【００７３】
[0084]いくつかの例では、異なる周期性または密度が、帯域内展開およびスタンドアロン展開に関連し得る。より詳細には、スタンドアロン展開では、各特定の送信についての電力は、等価な狭帯域送信が帯域内に埋め込まれるときよりも高いことがある。したがって、スタンドアロン展開の送信の密度は、帯域内展開についての送信の密度と比較して低減され得る。さらに、スタンドアロン展開と帯域内展開との間にＰＳＤの差があり得、同様のＤＬリンクバジェットを達成することが望まれ得る。したがって、ＮＢ−ＳＹＮＣ周期性または密度は、帯域内展開およびスタンドアロン展開について異なり得る。
【００７４】
[0085]いくつかの例では、ＮＢ−ＳＹＮＣバーストの異なる周期性が、帯域内展開およびスタンドアロン展開のために使用され得る。ＮＢ−ＳＹＮＣは、（ガードバンドを含む）スタンドアロン展開の場合、たとえば、Ｔ１間隔ごとに（たとえば、１００ｍｓごとに）送信され得る。代替的に、帯域内展開の場合、ＮＢ−ＳＹＮＣは、Ｔ２間隔ごとに（たとえば、４００ｍｓごとに）送信され得る。ＵＥ１１５は、開始すべきＴ１を仮定し、それが同期チャネルを検出することができない場合、Ｔ２に移動し得る。いくつかの場合には、ＵＥ１１５は、両方の仮説を並行して使用し得る。各ＮＢ−ＳＹＮＣバーストについて異なる密度が使用される場合、スタンドアロン展開および／またはガードバンド展開では、ＮＢ−ＳＹＮＣバーストは第１のレベル（Ｌ１）を使用し得、帯域内展開の場合、ＮＢ−ＳＹＮＣバーストは、第２のレベル（Ｌ２）を使用して送信され得る。これらの場合、ＵＥ１１５は、開始すべきＬ１を仮定し、それがＮＢ−ＳＹＮＣを検出することができない場合、Ｌ２を試み得、ＵＥ１１５はまた、両方の仮説を並行して試み得る。
【００７５】
[0086]いくつかの例では、狭帯域ＰＳＳ（ＮＢ−ＰＳＳ）および／または狭帯域ＳＳＳ（ＮＢ−ＳＳＳ）シーケンス設計が、帯域内展開またはスタンドアロン展開の早期インジケーションのために使用され得、ここで、ガードバンド展開がスタンドアロン展開として扱われ得る。他の例では、ＮＢ−ＰＳＳおよび／またはＮＢ−ＳＳＳシーケンス設計は、帯域内展開、ガードバンド展開、またはスタンドアロン展開の早期インジケーションのために使用され得る。スタンドアロン展開、ガードバンド展開、および／または帯域内展開のインジケーションのためにＮＢ−ＰＳＳを使用するとき、異なるシーケンス（たとえば、Ｘ１およびＸ２）が使用され得、ここで、シーケンス持続時間がシンボル持続時間に一致し得、特定のシーケンスが特定の展開を示し得る。そのような技法は、ＦＤＤ通信およびＴＤＤ通信のインジケーションを与えるためにも使用され得る。いくつかの例では、展開のインジケーションは、ＮＢ−ＰＳＳを使用して与えられ得る。追加または代替として、ＮＢ−ＳＳＳ、またはＮＢ−ＰＳＳとＮＢ−ＳＳＳの組合せが、展開を示すために使用され得る。さらなる例では、狭帯域同期チャネルを使用して送信される狭帯域ＰＢＣＨ（ＮＢ−ＰＢＣＨ）が、そのような展開インジケーションを与え得る。
【００７６】
[0087]いくつかの場合には、シーケンスＸ２はＸ１の関数であり得（たとえば、シーケンスＸ２はシーケンスＸ１の複素共役であり得）、シーケンス自体が展開の選択を示し得る。たとえば、Ｘ１は帯域内展開インジケーションを与え得、Ｘ２はスタンドアロン展開を示し得る。代替的に、シーケンスの順序が展開の選択を示し得る。たとえば、Ｘ１、Ｘ２は帯域内展開を示し得、Ｘ２、Ｘ１はスタンドアロン展開を示し得る。いくつかの場合には、ＮＢ−ＰＳＳは、最高１１個のシンボル（たとえば、ノーマルサイクリックプレフィックスをもつＲＢ中の１４個のシンボル−３つのレガシー制御シンボル）を要し得る。その結果、これらの１１個のシンボルにおけるシーケンスが、展開方式に関係するさらなる情報を伝達することができる（たとえば、シーケンス、たとえばＸ１、Ｘ１、Ｘ１、Ｘ１、Ｘ１、Ｘ２、Ｘ２、Ｘ２、Ｘ２、Ｘ２またはＸ２、Ｘ２、Ｘ２、Ｘ２、Ｘ２、Ｘ１、Ｘ１、Ｘ１、Ｘ１、Ｘ１、およびＸ１、Ｘ２、Ｘ１、Ｘ２またはＸ２、Ｘ１、Ｘ２、Ｘ１が、追加情報を伝達し得る）。
【００７７】
[0088]いくつかの例では、ＮＢ−ＰＳＳおよびＮＢ−ＳＳＳは比較的単純であるように保たれ得、展開のインジケーションがＮＢ−ＰＢＣＨ中で与えられる。すなわち、ＮＢ−ＰＢＣＨは、帯域内展開、スタンドアロン展開、またはガードバンド展開を直接示し得る。さらに、帯域内展開の場合、ＮＢ−ＰＢＣＨは、広帯域送信の中心周波数に対して狭帯域送信のためにどのＲＢが使用されるかをも示し得る。
【００７８】
[0089]いくつかの例では、ＮＢ−ＰＢＣＨは、サブフレーム番号（ＳＦＮ）、物理ハイブリッド自動再送要求インジケータチャネル（ＰＨＩＣＨ）、帯域幅、アンテナの数などを伝達するためにも使用され得る。いくつかの場合には、この情報は、送信のために１つのＲＢ中に含まれ得る。たとえば、狭帯域マスタ情報ブロック（ＮＢ−ＭＩＢ）をもつＮＢ−ＰＢＣＨが使用され得る。代替的に、ＮＢ−ＰＢＣＨは送信されないことがあり、情報は、共通探索空間をもつ狭帯域物理ダウンリンク制御チャネル（ＮＢ−ＰＤＣＣＨ）中に含まれ得る。いくつかの場合には、ＮＢ−ＭＩＢおよび／またはＮＢ−ＰＤＣＣＨは、ＳＩＢスケジューリング、データ領域情報（たとえば、１つまたは複数の狭帯域領域）、および（より大きい周期性をもつ）変更されたＳＦＮなどの情報を伝達するために使用され得る。
【００７９】
[0090]図７は、本開示の様々な態様による、狭帯域ワイヤレス通信のための狭帯域同期技法のためのプロセスフロー７００の一例を示す。プロセスフロー７００は、図１〜図２を参照しながら説明されたＵＥ１１５および基地局１０５の例であり得る、ＵＥ１１５−ｂと基地局１０５−ｂとを含み得る。
【００８０】
[0091]最初に、ブロック７０５において、基地局１０５−ｂは狭帯域リソースロケーションを識別し得る。そのような狭帯域リソースロケーションは、たとえば、帯域内にあるか、スタンドアロンであるか、またはガードバンド中にあり得る。狭帯域リソースロケーションに少なくとも部分的に基づいて、基地局１０５−ｂは、ブロック７１０において示されているように、同期信号フォーマットを識別し得る。同期信号フォーマットは、いくつかの例では、図１〜図６に関して上記で説明されたような、狭帯域リソースのインジケーションを与えるように選択され得る。ブロック７１５において、基地局１０５−ｂは同期信号を生成し得る。基地局１０５−ｂは、次いで、同期信号７２０を送信し得る。同期信号は、たとえば、図１〜図６に関して上記で説明されたような、あらかじめ定義されたリソースまたはプリプログラムされたリソースを使用して、送信され得る。
【００８１】
[0092]ＵＥ１１５−ｂにおいて、同期信号は、ブロック７２５において受信され得る。ブロック７３０において、ＵＥ１１５−ｂは送信の狭帯域領域を識別し得る。そのような識別は、図１〜図６に関して上記で説明されたように、送信された同期信号７２０中に含まれている情報のシーケンスに基づいて、またはＮＢ−ＰＢＣＨ中の情報に基づいて行われ得る。そのような狭帯域領域は、広帯域送信をもつ帯域内にある帯域内領域として、あるいは、スタンドアロンまたはガードバンド領域などの帯域外（out-of-band）領域として識別され得る。ブロック７３５において、ＵＥ１１５−ｂは受信された信号を復号し得る。
【００８２】
[0093]図８は、本開示の様々な態様による、狭帯域通信のための共通同期チャネル設計をサポートするワイヤレスデバイス８００のブロック図を示す。ワイヤレスデバイス８００は、図１および図２を参照しながら説明された基地局１０５の態様の一例であり得る。ワイヤレスデバイス８００は、受信機８０５と、狭帯域同期信号マネージャ８１０と、送信機８１５とを含み得る。ワイヤレスデバイス８００はプロセッサをも含み得る。これらのコンポーネントの各々は互いと通信していることがある。
【００８３】
[0094]受信機８０５は、パケット、ユーザデータ、または様々な情報チャネルに関連する制御情報（たとえば、制御チャネル、データチャネル、および狭帯域通信のための共通同期チャネル設計に関係する情報など）などの情報を受信し得る。情報は、デバイスの他のコンポーネントに受け渡され得る。受信機８０５は、図１１を参照しながら説明されるトランシーバ１１２５の態様の一例であり得る。
【００８４】
[0095]狭帯域同期信号マネージャ８１０は、システム帯域幅の広帯域領域に関して狭帯域領域のロケーションを識別することと、デバイス発見のための同期情報を含む同期信号の少なくとも一部分の送信のための、１つまたは複数の広帯域送信の広帯域帯域幅内のアンカーリソースを識別することと、ここで、アンカーリソースが、広帯域帯域幅内のあらかじめ定義されたリソースロケーションに位置する１つまたは複数のＲＢを含み、アンカーリソースを介して同期信号の少なくとも一部分を送信することとを行い得る。
【００８５】
[0096]狭帯域同期信号マネージャ８１０はまた、狭帯域領域のロケーションが１つまたは複数の広帯域送信の広帯域帯域幅内の帯域内にあることを識別することと、狭帯域送信の送信のための、広帯域帯域幅中で分配される狭帯域リソースを選択することと、ここで、狭帯域リソースが、狭帯域送信のための送信ダイバーシティを与えるために分配され得、狭帯域送信に関連する同期信号の送信のために使用されるべき共通同期リソースを識別することと、同期信号がデバイス発見のための同期情報を含み、共通同期リソースを使用して同期信号を送信することとを行い得る。
【００８６】
[0097]狭帯域同期信号マネージャ８１０はまた、狭帯域送信に関連する同期信号の送信のために使用されるべき共通同期リソースを識別することと、同期信号がデバイス発見のための同期情報を含み、狭帯域領域のロケーションに基づいて同期信号をフォーマットすることと、共通同期リソースを使用して、フォーマットされた同期信号の少なくとも一部分を送信することとを行い得る。狭帯域同期信号マネージャ８１０はまた、図１１を参照しながら説明される狭帯域同期信号マネージャ１１０５の態様の一例であり得る。
【００８７】
[0098]送信機８１５は、ワイヤレスデバイス８００の他のコンポーネントから受信された信号を送信し得る。いくつかの例では、送信機８１５は、トランシーバモジュール中で受信機とコロケートされ得る。たとえば、送信機８１５は、図１１を参照しながら説明されるトランシーバ１１２５の態様の一例であり得る。送信機８１５は単一のアンテナを含み得るか、またはそれは複数のアンテナを含み得る。
【００８８】
[0099]図９は、本開示の様々な態様による、狭帯域通信のための共通同期チャネル設計をサポートするワイヤレスデバイス９００のブロック図を示す。ワイヤレスデバイス９００は、図１、図２、および図８を参照しながら説明されたワイヤレスデバイス８００または基地局１０５の態様の一例であり得る。ワイヤレスデバイス９００は、受信機９０５と、狭帯域同期信号マネージャ９１０と、送信機９４０とを含み得る。ワイヤレスデバイス９００はプロセッサをも含み得る。これらのコンポーネントの各々は互いと通信していることがある。
【００８９】
[0100]受信機９０５は、デバイスの他のコンポーネントに受け渡され得る情報を受信し得る。受信機９０５はまた、図８の受信機８０５に関して説明された機能を実行し得る。受信機９０５は、図１１を参照しながら説明されるトランシーバ１１２５の態様の一例であり得る。
【００９０】
[0101]狭帯域同期信号マネージャ９１０は、図８を参照しながら説明された狭帯域同期信号マネージャ８１０の態様の一例であり得る。狭帯域同期信号マネージャ９１０は、狭帯域領域コンポーネント９１５と、同期リソースコンポーネント９２０と、アンカーリソースコンポーネント９２５と、狭帯域送信コンポーネント９３０と、同期信号コンポーネント９３５とを含み得る。狭帯域同期信号マネージャ９１０は、図１１を参照しながら説明される狭帯域同期信号マネージャ１１０５の態様の一例であり得る。
【００９１】
[0102]狭帯域領域コンポーネント９１５は、広帯域送信帯域幅に隣接するガードバンド帯域幅内として狭帯域領域のロケーションを識別し、広帯域送信に隣接しないスタンドアロン帯域幅内として狭帯域領域のロケーションを識別し、システム帯域幅の広帯域領域に関して狭帯域領域のロケーションを識別し、狭帯域領域のロケーションが１つまたは複数の広帯域送信の広帯域帯域幅内の帯域内にあることを識別し得る。
【００９２】
[0103]いくつかの場合には、狭帯域領域は、１つまたは複数の広帯域送信内の帯域内にあり、インジケーションは、広帯域送信内の狭帯域通信リソースのインジケーションをさらに含む。いくつかの場合には、システム帯域幅の広帯域領域に関して狭帯域領域のロケーションを識別することは、１つまたは複数の広帯域送信内の帯域内として狭帯域領域のロケーションを識別することを含む。
【００９３】
[0104]同期リソースコンポーネント９２０は、狭帯域送信に関連する同期信号の送信のために使用されるべき共通同期リソースを識別することと、同期信号がデバイス発見のための同期情報を含み、狭帯域送信に関連する同期信号の送信のために使用されるべき共通同期リソースを識別することと、同期信号がデバイス発見のための同期情報を含み、を行い得る。いくつかの場合には、共通同期リソースは、レガシー基準信号またはレガシー制御信号のうちの１つまたは複数のためのリソースロケーションを回避するように選択される。
【００９４】
[0105]アンカーリソースコンポーネント９２５は、デバイス発見のための同期情報を含む同期信号の少なくとも一部分の送信のための、１つまたは複数の広帯域送信の広帯域帯域幅内のアンカーリソースを識別し得、ここで、アンカーリソースが、広帯域帯域幅内のあらかじめ定義されたリソースロケーションに位置する１つまたは複数のＲＢを含む。いくつかの場合には、アンカーリソースは、１つまたは複数の広帯域送信内の帯域内のあらかじめ定義されたリソースロケーションに位置する１つまたは複数のＲＢを含む。
【００９５】
[0106]いくつかの場合には、アンカーリソースは、ＵＥによる初期収集において使用するための、同期信号、物理ブロードキャストチャネル、またはシステム情報ブロックのうちの１つまたは複数を送信するために使用される。いくつかの場合には、アンカーリソースは、狭帯域送信を含んでいる１つまたは複数のリソースを示す情報を含み、ここで、１つまたは複数のリソースは、狭帯域送信のための、周波数ダイバーシティ、時間ダイバーシティ、または負荷分散のうちの１つまたは複数を与えるように選択される。
【００９６】
[0107]いくつかの場合には、あらかじめ定義されたリソースロケーションは、広帯域帯域幅の中心周波数からの固定オフセットに位置するリソースブロックを含む。いくつかの場合には、アンカーリソースは、デバイス発見において使用するための、同期信号、物理ブロードキャストチャネル、またはシステム情報ブロックのうちの１つまたは複数を送信するために使用される。いくつかの場合には、アンカーリソースは、狭帯域送信を含んでいる第２のリソースを示す情報を含み、第２のリソースは、狭帯域送信のための、周波数ダイバーシティ、時間ダイバーシティ、または負荷分散のうちの１つまたは複数を与えるように選択される。いくつかの例では、第２のリソースは、アンカーリソースとは異なる狭帯域領域中に位置し得る。
【００９７】
[0108]アンカーリソースは、レガシー基準信号によってパンクチャされるＲＢの複数のシンボルを含み得る。いくつかの場合には、アンカーリソースは、レガシー基準信号またはレガシー制御信号のうちの１つまたは複数のためのリソースロケーションを回避するように選択される。いくつかの場合には、共通同期リソースは、ＵＥが同期信号についてそれを監視することができるアンカーリソースを含む。いくつかの場合には、アンカーリソースは、広帯域帯域幅内のあらかじめ定義されたリソースロケーションに位置する１つまたは複数のＲＢを含む。
【００９８】
[0109]狭帯域送信コンポーネント９３０は、狭帯域送信の送信のための、広帯域帯域幅中で分配される狭帯域リソースを選択し得、狭帯域リソースが、狭帯域送信のための送信ダイバーシティを与えるために分配される。
【００９９】
[0110]同期信号コンポーネント９３５は、狭帯域領域のロケーションに基づいて、同期信号の周期性を第１の値または第２の値になるように設定し、重複しない同期信号の送信を与えるように第１の値および第２の値を選択し得る。同期信号コンポーネント９３５はまた、狭帯域領域のロケーションに基づいて同期信号をフォーマットし、共通同期リソースを使用して、フォーマットされた同期信号の少なくとも一部分を送信し得る。いくつかの場合には、同期信号をフォーマットすることは、狭帯域領域のロケーションのインジケーションを与えることを含む。追加または代替として、同期信号をフォーマットすることは、狭帯域送信が周波数分割複信を使用して送信されるのか時分割複信を使用して送信されるのかのインジケーションを与えることを含む。同期信号コンポーネント９３５はまた、アンカーリソースを介して同期信号の少なくとも一部分を送信し、共通同期リソースを使用して同期信号を送信し得る。
【０１００】
[0111]いくつかの場合には、同期信号をフォーマットすることは、狭帯域領域のロケーションに基づいて、ＰＳＳ情報、ＳＳＳ情報、またはＰＢＣＨ情報のうちの１つまたは複数をフォーマットすることを含む。いくつかの場合には、ＰＳＳは狭帯域領域のロケーションのインジケーションを含み、ここで、インジケーションは、狭帯域領域のロケーションが１つまたは複数の広帯域送信内の帯域内にあることを示す第１のあらかじめ決定されたシーケンス、あるいは、狭帯域領域のロケーションがガードバンド帯域幅またはスタンドアロン帯域幅内にあることを示す第２のあらかじめ決定されたシーケンスを含む。いくつかの場合には、第２のあらかじめ決定されたシーケンスは、第１のあらかじめ決定されたシーケンスの複素共役である。
【０１０１】
[0112]いくつかの場合には、ＰＳＳは狭帯域領域のロケーションのインジケーションを含み、ここで、インジケーションは、狭帯域領域が１つまたは複数の広帯域送信内の帯域内にあることを示すために、第１の連続パターンと、後続の第２の連続パターンとを含み、およびここで、インジケーションは、狭帯域領域がガードバンド帯域幅またはスタンドアロン帯域幅内にあることを示すために、第２の連続パターンと、後続の第１の連続パターンとを含む。いくつかの場合には、ＰＳＳは複数のＯＦＤＭシンボルを含み、ＯＦＤＭシンボルのうちの１つまたは複数内でのあらかじめ決定された情報の位置が、狭帯域領域のロケーションを示し得る。いくつかの場合には、ＳＳＳは狭帯域領域のロケーションのインジケーションを含む。
【０１０２】
[0113]いくつかの場合には、インジケーションは、狭帯域領域が１つまたは複数の広帯域送信内の帯域内にあることを示す第１のあらかじめ決定されたシーケンス、あるいは、狭帯域領域がガードバンド帯域幅またはスタンドアロン帯域幅内にあることを示す第２のあらかじめ決定されたシーケンスを含む。いくつかの場合には、インジケーションは、同期信号内のＰＳＳとＳＳＳとの相対位置を含む。いくつかの場合には、同期信号の周期性またはＰＳＤが、狭帯域領域のロケーションに基づいて決定される。
【０１０３】
[0114]いくつかの場合には、同期信号のＰＳＤは、狭帯域領域のロケーションに基づいて、第１のレベルまたは第２のレベルになるように設定される。いくつかの場合には、共通同期リソースの一部分は、ＵＥが同期信号についてそれを監視することができるアンカーリソースを含む。いくつかの場合には、あらかじめ定義されたリソースロケーションは、広帯域送信の中心周波数からの固定オフセットに位置するリソースブロックを含む。
【０１０４】
[0115]いくつかの場合には、同期信号の周期性またはＰＳＤは、アンカーリソースのロケーションに基づいて決定される。いくつかの場合には、同期信号は、ＰＳＳ情報、ＳＳＳ情報、またはＰＢＣＨ情報のうちの１つまたは複数を含み、ここで、ＰＳＳ情報、ＳＳＳ情報、またはＰＢＣＨ情報のうちの１つまたは複数のコンテンツが、広帯域帯域幅内の、広帯域帯域幅に隣接するガードバンド帯域幅内の、または広帯域帯域幅から独立しているスタンドアロン帯域幅内の狭帯域領域のロケーションを示す。
【０１０５】
[0116]いくつかの場合には、ＰＳＳは狭帯域領域のロケーションのインジケーションを含み、ここで、インジケーションは、狭帯域領域のロケーションが広帯域帯域幅内にあることを示す第１のあらかじめ決定されたシーケンス、あるいは、狭帯域領域のロケーションがガードバンド帯域幅またはスタンドアロン帯域幅内にあることを示す第２のあらかじめ決定されたシーケンスを含む。いくつかの場合には、ＳＳＳは狭帯域領域のロケーションのインジケーションを含み、ここで、インジケーションは、狭帯域領域が広帯域帯域幅内にあることを示す第１のあらかじめ決定されたシーケンス、あるいは、狭帯域領域がガードバンド帯域幅またはスタンドアロン帯域幅内にあることを示す第２のあらかじめ決定されたシーケンスを含む。
【０１０６】
[0117]いくつかの場合には、インジケーションは、同期信号内のＰＳＳとＳＳＳとの相対位置を含む。いくつかの場合には、同期信号は、ＰＳＳ情報、ＳＳＳ情報、またはＰＢＣＨ情報のうちの１つまたは複数を含み、ここで、ＰＳＳ情報、ＳＳＳ情報、またはＰＢＣＨ情報のうちの１つまたは複数のコンテンツが、狭帯域領域のロケーションを示す。いくつかの場合には、ＰＳＳは狭帯域領域のロケーションのインジケーションを含み、ここで、インジケーションは、狭帯域領域のロケーションが広帯域帯域幅内の帯域内にあることを示す第１のあらかじめ決定されたシーケンス、あるいは、狭帯域領域のロケーションがガードバンド帯域幅またはスタンドアロン帯域幅内にあることを示す第２のあらかじめ決定されたシーケンスを含む。いくつかの場合には、ＳＳＳは狭帯域領域のロケーションのインジケーションを含み、ここで、インジケーションは、狭帯域領域が広帯域帯域幅内の帯域内にあることを示す第１のあらかじめ決定されたシーケンス、あるいは、狭帯域領域がガードバンド帯域幅またはスタンドアロン帯域幅内にあることを示す第２のあらかじめ決定されたシーケンスを含む。
【０１０７】
[0118]送信機９４０は、ワイヤレスデバイス９００の他のコンポーネントから受信された信号を送信し得る。いくつかの例では、送信機９４０は、トランシーバモジュール中で受信機とコロケートされ得る。たとえば、送信機９４０は、図１１を参照しながら説明されるトランシーバ１１２５の態様の一例であり得る。送信機９４０は単一のアンテナを利用し得るか、またはそれはアンテナのセットを利用し得る。
【０１０８】
[0119]図１０は、ワイヤレスデバイス８００またはワイヤレスデバイス９００の対応するコンポーネントの一例であり得る狭帯域同期信号マネージャ１０００のブロック図を示す。すなわち、狭帯域同期信号マネージャ１０００は、図８および図９を参照しながら説明された狭帯域同期信号マネージャ８１０または狭帯域同期信号マネージャ９１０の態様の一例であり得る。狭帯域同期信号マネージャ１０００はまた、図１１を参照しながら説明される狭帯域同期信号マネージャ１１０５の態様の一例であり得る。
【０１０９】
[0120]狭帯域同期信号マネージャ１０００は、狭帯域領域コンポーネント１００５と、同期リソースコンポーネント１０１０と、アンカーリソースコンポーネント１０１５と、狭帯域送信コンポーネント１０２０と、同期信号コンポーネント１０２５と、狭帯域リソースコンポーネント１０３０と、ＰＢＣＨコンポーネント１０３５とを含み得る。これらのモジュールの各々は、直接または間接的に、（たとえば、１つまたは複数のバスを介して）互いと通信し得る。
【０１１０】
[0121]狭帯域領域コンポーネント１００５は、広帯域送信帯域幅に隣接するガードバンド帯域幅内として狭帯域領域のロケーションを識別し、広帯域送信に隣接しないスタンドアロン帯域幅内として狭帯域領域のロケーションを識別し、システム帯域幅の広帯域領域に関して狭帯域領域のロケーションを識別し、狭帯域領域のロケーションが１つまたは複数の広帯域送信の広帯域帯域幅内の帯域内にあることを識別し得る。いくつかの場合には、狭帯域領域は、１つまたは複数の広帯域送信内の帯域内にあり、インジケーションは、広帯域送信内の狭帯域通信リソースのインジケーションをさらに含む。いくつかの場合には、システム帯域幅の広帯域領域に関して狭帯域領域のロケーションを識別することは、１つまたは複数の広帯域送信内の帯域内として狭帯域領域のロケーションを識別することを含む。
【０１１１】
[0122]同期リソースコンポーネント１０１０は、狭帯域送信に関連する同期信号の送信のために使用されるべき共通同期リソースを識別することと、同期信号がデバイス発見のための同期情報を含み、狭帯域送信に関連する同期信号の送信のために使用されるべき共通同期リソースを識別することと、同期信号がデバイス発見のための同期情報を含み、を行い得る。いくつかの場合には、共通同期リソースは、レガシー基準信号またはレガシー制御信号のうちの１つまたは複数のためのリソースロケーションを回避するように選択される。
【０１１２】
[0123]アンカーリソースコンポーネント１０１５は、デバイス発見のための同期情報を含む同期信号の少なくとも一部分の送信のための、１つまたは複数の広帯域送信の広帯域帯域幅内のアンカーリソースを識別し得、ここで、アンカーリソースが、広帯域帯域幅内のあらかじめ定義されたリソースロケーションに位置する１つまたは複数のＲＢを含む。狭帯域送信コンポーネント１０２０は、狭帯域送信の送信のための、広帯域帯域幅中で分配される狭帯域リソースを選択し得、狭帯域リソースが、狭帯域送信のための送信ダイバーシティを与えるために分配される。
【０１１３】
[0124]同期信号コンポーネント１０２５は、狭帯域領域のロケーションに基づいて、同期信号の周期性を第１の値または第２の値になるように設定し得、重複しない同期信号の送信を与えるように第１の値および第２の値を選択し得る。いくつかの例では、同期信号コンポーネント１０２５は、アンカーリソースを介して同期信号の少なくとも一部分を送信し、共通同期リソースを使用して同期信号を送信し、狭帯域領域のロケーションに基づいて同期信号をフォーマットし、共通同期リソースを使用して、フォーマットされた同期信号の少なくとも一部分を送信し得る。
【０１１４】
[0125]いくつかの場合には、同期信号をフォーマットすることは、狭帯域領域のロケーションのインジケーションを与えることを含む。追加または代替として、同期信号をフォーマットすることは、狭帯域送信が周波数分割複信を使用して送信されるのか時分割複信を使用して送信されるのかのインジケーションを与えることを含む。いくつかの場合には、同期信号をフォーマットすることは、狭帯域領域のロケーションに基づいて、ＰＳＳ情報、ＳＳＳ情報、またはＰＢＣＨ情報のうちの１つまたは複数をフォーマットすることを含む。
【０１１５】
[0126]狭帯域リソースコンポーネント１０３０は、狭帯域リソースのロケーションと共通同期リソースのロケーションとが、レガシー基準信号またはレガシー制御信号のうちの１つまたは複数のためのリソースロケーションを回避するように選択されるように、構成され得る。
【０１１６】
[0127]ＰＢＣＨコンポーネント１０３５は、物理ブロードキャストチャネルが狭帯域領域のロケーションのインジケーションを含むように構成され得る。いくつかの場合には、インジケーションは、狭帯域領域のロケーションの直接インジケーションを含む。いくつかの場合には、インジケーションは、狭帯域通信のための変更されたシステムフレーム番号、またはシステム情報ブロックの送信のスケジューリングの情報のうちの１つまたは複数をさらに含む。いくつかの場合には、物理ブロードキャストチャネルは狭帯域領域のロケーションのインジケーションを含み、ここで、インジケーションは、狭帯域領域のロケーションの直接インジケーションを含む。いくつかの場合には、物理ブロードキャストチャネルは狭帯域領域のロケーションのインジケーションを含み、ここで、インジケーションは、狭帯域領域のロケーションの直接インジケーションを含む。
【０１１７】
[0128]図１１は、本開示の様々な態様による、狭帯域通信のための共通同期チャネル設計をサポートするデバイスを含むワイヤレスシステム１１００の図を示す。たとえば、システム１１００は、図１、図２および図８〜図１０を参照しながら説明されたように、ワイヤレスデバイス８００、ワイヤレスデバイス９００、または基地局１０５の一例であり得る、基地局１０５−ｃを含み得る。基地局１０５−ｃはまた、通信を送信するためのコンポーネントと通信を受信するためのコンポーネントとを含む、双方向音声およびデータ通信のためのコンポーネントを含み得る。たとえば、基地局１０５−ｃは、１つまたは複数のＵＥ１１５と双方向に通信し得る。
【０１１８】
[0129]基地局１０５−ｃは、狭帯域同期信号マネージャ１１０５と、プロセッサ１１１０と、メモリ１１１５と、トランシーバ１１２５と、アンテナ１１３０と、基地局通信モジュール１１３５と、ネットワーク通信モジュール１１４０とをも含み得る。これらのモジュールの各々は、直接または間接的に、（たとえば、１つまたは複数のバスを介して）互いと通信し得る。狭帯域同期信号マネージャ１１０５は、図８〜図１０を参照しながら説明されたように、狭帯域同期信号マネージャの一例であり得る。
【０１１９】
[0130]プロセッサ１１１０は、インテリジェントハードウェアデバイス（たとえば、中央処理ユニット（ＣＰＵ）、マイクロコントローラ、特定用途向け集積回路（ＡＳＩＣ）など）を含み得る。メモリ１１１５は、ランダムアクセスメモリ（ＲＡＭ）および読取り専用メモリ（ＲＯＭ）を含み得る。メモリ１１１５は、実行されたとき、プロセッサに本明細書で説明される様々な機能（たとえば、狭帯域通信のための共通同期チャネル設計など）を実行させる命令を含むコンピュータ可読、コンピュータ実行可能ソフトウェアを記憶し得る。いくつかの場合には、ソフトウェア１１２０は、プロセッサによって直接的に実行可能でないことがあるが、（たとえば、コンパイルされ実行されたとき）コンピュータに本明細書で説明される機能を実行させ得る。
【０１２０】
[0131]トランシーバ１１２５は、上記で説明されたように、１つまたは複数のアンテナ、ワイヤードリンク、またはワイヤレスリンクを介して、１つまたは複数のネットワークと双方向に通信し得る。たとえば、トランシーバ１１２５は、基地局１０５またはＵＥ１１５と双方向に通信し得る。トランシーバ１１２５はまた、パケットを変調し、変調されたパケットを送信のためにアンテナに与えるための、およびアンテナから受信されたパケットを復調するためのモデムを含み得る。いくつかの場合には、ワイヤレスデバイスは単一のアンテナ１１３０を含み得る。しかしながら、いくつかの場合には、デバイスは、複数のワイヤレス送信をコンカレントに送信または受信することが可能であり得る２つ以上のアンテナ１１３０を有し得る。
【０１２１】
[0132]基地局通信モジュール１１３５は、他の基地局１０５との通信を管理し得、他の基地局１０５と協働してＵＥ１１５との通信を制御するためのコントローラまたはスケジューラを含み得る。たとえば、基地局通信モジュール１１３５は、ビームフォーミングまたはジョイント送信などの様々な干渉緩和技法のためのＵＥ１１５への送信のためのスケジューリングを協調させ得る。いくつかの例では、基地局通信モジュール１１３５は、基地局１０５間の通信を行うために、ＬＴＥ／ＬＴＥ−Ａワイヤレス通信ネットワーク技術内のＸ２インターフェースを与え得る。ネットワーク通信モジュール１１４０は、（たとえば、１つまたは複数のワイヤードバックホールリンクを介して）コアネットワークとの通信を管理し得る。たとえば、ネットワーク通信モジュール１１４０は、１つまたは複数のＵＥ１１５など、クライアントデバイスのためのデータ通信の転送を管理し得る。
【０１２２】
[0133]図１２は、本開示の様々な態様による、狭帯域通信のための共通同期チャネル設計をサポートするワイヤレスデバイス１２００のブロック図を示す。ワイヤレスデバイス１２００は、図１および図２を参照しながら説明されたＵＥ１１５の態様の一例であり得る。ワイヤレスデバイス１２００は、受信機１２０５と、狭帯域同期マネージャ１２１０と、送信機１２１５とを含み得る。ワイヤレスデバイス１２００はプロセッサをも含み得る。これらのコンポーネントの各々は互いと通信していることがある。
【０１２３】
[0134]受信機１２０５は、パケット、ユーザデータ、または様々な情報チャネルに関連する制御情報（たとえば、制御チャネル、データチャネル、および狭帯域通信のための共通同期チャネル設計に関係する情報など）などの情報を受信し得る。情報は、デバイスの他のコンポーネントに受け渡され得る。受信機１２０５は、図１５を参照しながら説明されるトランシーバ１５２５の態様の一例であり得る。
【０１２４】
[0135]狭帯域同期マネージャ１２１０は、デバイス発見のための同期情報を含む同期信号の少なくとも一部分を含んでいる、システム帯域幅の広帯域領域内の第１のリソースを識別し、第１のリソースを介して同期信号の少なくとも一部分を受信し、同期信号のフォーマットまたはコンテンツに基づいて、システム帯域幅の広帯域領域に関して狭帯域領域のロケーションを識別し得る。
【０１２５】
[0136]狭帯域同期マネージャ１２１０はまた、デバイス発見のための同期情報を含む同期信号の少なくとも一部分を含んでいる、１つまたは複数の広帯域送信の広帯域帯域幅内のアンカーリソースを識別することと、ここで、アンカーリソースが、広帯域帯域幅内のあらかじめ定義されたリソースロケーションに位置する１つまたは複数のＲＢを含み、アンカーリソースを介して同期信号の少なくとも一部分を受信することとを行い得る。狭帯域同期マネージャ１２１０はまた、デバイス発見のための同期情報を含む同期信号の少なくとも一部分を含んでいる、１つまたは複数の広帯域送信の広帯域帯域幅内の第１のリソースを識別し、第１のリソースを介して同期信号の少なくとも一部分を受信し得る。
【０１２６】
[0137]狭帯域同期マネージャ１２１０はまた、同期信号のコンテンツに基づいて、狭帯域領域のロケーションが１つまたは複数の広帯域送信の広帯域帯域幅内の帯域内にあることを識別することと、狭帯域送信を受信するための、広帯域帯域幅中で分配される狭帯域リソースを識別することと、狭帯域リソースが、狭帯域送信のための送信ダイバーシティを与えるために分配され、を行い得る。狭帯域同期マネージャ１２１０は、図１５を参照しながら説明される狭帯域同期マネージャ１５０５の態様の一例でもあり得る。
【０１２７】
[0138]送信機１２１５は、ワイヤレスデバイス１２００の他のコンポーネントから受信された信号を送信し得る。いくつかの例では、送信機１２１５は、トランシーバモジュール中で受信機とコロケートされ得る。たとえば、送信機１２１５は、図１５を参照しながら説明されるトランシーバ１５２５の態様の一例であり得る。送信機１２１５は単一のアンテナを含み得るか、またはそれは複数のアンテナを含み得る。
【０１２８】
[0139]図１３は、本開示の様々な態様による、狭帯域通信のための共通同期チャネル設計をサポートするワイヤレスデバイス１３００のブロック図を示す。ワイヤレスデバイス１３００は、図１、図２および図１２を参照しながら説明されたワイヤレスデバイス１２００またはＵＥ１１５の態様の一例であり得る。ワイヤレスデバイス１３００は、受信機１３０５と、狭帯域同期マネージャ１３１０と、送信機１３３５とを含み得る。ワイヤレスデバイス１３００はプロセッサをも含み得る。これらのコンポーネントの各々は互いと通信していることがある。
【０１２９】
[0140]受信機１３０５は、デバイスの他のコンポーネントに受け渡され得る情報を受信し得る。受信機１３０５はまた、図１２の受信機１２０５に関して説明された機能を実行し得る。受信機１３０５は、図１５を参照しながら説明されるトランシーバ１５２５の態様の一例であり得る。狭帯域同期マネージャ１３１０は、図１２を参照しながら説明された狭帯域同期マネージャ１２１０の態様の一例であり得る。狭帯域同期マネージャ１３１０は、広帯域リソースコンポーネント１３１５と、同期信号コンポーネント１３２０と、狭帯域リソースコンポーネント１３２５と、アンカーリソースコンポーネント１３３０とを含み得る。狭帯域同期マネージャ１３１０は、図１５を参照しながら説明される狭帯域同期マネージャ１５０５の態様の一例であり得る。
【０１３０】
[0141]広帯域リソースコンポーネント１３１５は、デバイス発見のための同期情報を含む同期信号の少なくとも一部分を含んでいる、システム帯域幅の広帯域領域内の第１のリソースを識別し、デバイス発見のための同期情報を含む同期信号の少なくとも一部分を含んでいる、１つまたは複数の広帯域送信の広帯域帯域幅内の第１のリソースを識別し得る。同期信号コンポーネント１３２０は、第１のリソースを介して同期信号の少なくとも一部分を受信し、アンカーリソースを介して同期信号の少なくとも一部分を受信し、第１のリソースを介して同期信号の少なくとも一部分を受信し得る。
【０１３１】
[0142]狭帯域リソースコンポーネント１３２５は、同期信号のコンテンツに基づいて、システム帯域幅の広帯域領域に関して狭帯域領域のロケーションを識別し、広帯域送信帯域幅に隣接するガードバンド帯域幅内として狭帯域領域のロケーションを識別し、広帯域送信に隣接しないスタンドアロン帯域幅内として狭帯域領域のロケーションを識別し得る。いくつかの場合には、狭帯域リソースコンポーネント１３２５は、同期信号のフォーマットに基づいて、狭帯域領域のロケーションが１つまたは複数の広帯域送信の広帯域帯域幅内の帯域内にあることを識別することと、狭帯域送信を受信するための、広帯域帯域幅中で分配される狭帯域リソースを識別することと、狭帯域リソースが、狭帯域送信のための送信ダイバーシティを与えるために分配され、を行い得る。
【０１３２】
[0143]アンカーリソースコンポーネント１３３０は、デバイス発見のための同期情報を含む同期信号の少なくとも一部分を含んでいる、１つまたは複数の広帯域送信の広帯域帯域幅内のアンカーリソースを識別し得、ここで、アンカーリソースが、広帯域帯域幅内のあらかじめ定義されたリソースロケーションに位置する１つまたは複数のＲＢを含む。いくつかの場合には、アンカーリソースは、狭帯域送信を含んでいる第２のリソースを示す情報を含み、第２のリソースは、周波数ダイバーシティまたは負荷分散を与えるように選択される。第２のリソースは、アンカーリソースとは異なるロケーション中に位置し得、ワイヤレスデバイス１３００は、第２のリソースを使用して通信し得る。いくつかの例では、ワイヤレスデバイス１３００は、ＳＩＢ変化に基づいてアンカーリソースを周期的に検査し得る。
【０１３３】
[0144]送信機１３３５は、ワイヤレスデバイス１３００の他のコンポーネントから受信された信号を送信し得る。いくつかの例では、送信機１３３５は、トランシーバモジュール中で受信機とコロケートされ得る。たとえば、送信機１３３５は、図１５を参照しながら説明されるトランシーバ１５２５の態様の一例であり得る。送信機１３３５は単一のアンテナを利用し得るか、またはそれは複数のアンテナを利用し得る。
【０１３４】
[0145]図１４は、ワイヤレスデバイス１２００またはワイヤレスデバイス１３００の対応するコンポーネントの一例であり得る狭帯域同期マネージャ１４００のブロック図を示す。すなわち、狭帯域同期マネージャ１４００は、図１２および図１３を参照しながら説明された狭帯域同期マネージャ１２１０または狭帯域同期マネージャ１３１０の態様の一例であり得る。狭帯域同期マネージャ１４００は、図１５を参照しながら説明される狭帯域同期マネージャ１５０５の態様の一例でもあり得る。狭帯域同期マネージャ１４００は、広帯域リソースコンポーネント１４０５と、同期信号コンポーネント１４１０と、狭帯域リソースコンポーネント１４１５と、ＰＢＣＨコンポーネント１４２０と、アンカーリソースコンポーネント１４２５とを含み得る。これらのモジュールの各々は、直接または間接的に、（たとえば、１つまたは複数のバスを介して）互いと通信し得る。
【０１３５】
[0146]広帯域リソースコンポーネント１４０５は、デバイス発見のための同期情報を含む同期信号の少なくとも一部分を含んでいる、システム帯域幅の広帯域領域内の第１のリソースを識別し、デバイス発見のための同期情報を含む同期信号の少なくとも一部分を含んでいる、１つまたは複数の広帯域送信の広帯域帯域幅内の第１のリソースを識別し得る。
【０１３６】
[0147]同期信号コンポーネント１４１０は、第１のリソースを介して同期信号の少なくとも一部分を受信し、アンカーリソースを介して同期信号の少なくとも一部分を受信し、第１のリソースを介して同期信号の少なくとも一部分を受信し得る。狭帯域リソースコンポーネント１４１５は、同期信号のコンテンツに基づいて、システム帯域幅の広帯域領域に関して狭帯域領域のロケーションを識別し、広帯域送信帯域幅に隣接するガードバンド帯域幅内として狭帯域領域のロケーションを識別し、広帯域送信に隣接しないスタンドアロン帯域幅内として狭帯域領域のロケーションを識別し得る。いくつかの例では、同期信号コンポーネント１４１０は、同期信号のコンテンツに基づいて、狭帯域領域のロケーションが１つまたは複数の広帯域送信の広帯域帯域幅内の帯域内にあることを識別することと、狭帯域送信を受信するための、広帯域帯域幅中で分配される狭帯域リソースを識別することと、狭帯域リソースが、狭帯域送信のための送信ダイバーシティを与えるために分配され、を行い得る。
【０１３７】
[0148]ＰＢＣＨコンポーネント１４２０は、物理ブロードキャストチャネルが狭帯域領域のロケーションのインジケーションを含むように構成され得る。アンカーリソースコンポーネント１４２５は、デバイス発見のための同期情報を含む同期信号の少なくとも一部分を含んでいる、１つまたは複数の広帯域送信の広帯域帯域幅内のアンカーリソースを識別し得、ここで、アンカーリソースが、広帯域帯域幅内のあらかじめ定義されたリソースロケーションに位置する１つまたは複数のＲＢを含む。
【０１３８】
[0149]図１５は、本開示の様々な態様による、狭帯域通信のための共通同期チャネル設計をサポートするデバイスを含むシステム１５００の図を示す。たとえば、システム１５００は、図１、図２および図１２〜図１４を参照しながら説明されたように、ワイヤレスデバイス１２００、ワイヤレスデバイス１３００、またはＵＥ１１５の一例であり得る、ＵＥ１１５−ｅを含み得る。ＵＥ１１５−ｅはまた、狭帯域同期マネージャ１５０５と、プロセッサ１５１０と、メモリ１５１５と、トランシーバ１５２５と、アンテナ１５３０と、ＭＴＣ通信マネージャ１５３５とを含み得る。これらのモジュールの各々は、直接または間接的に、（たとえば、１つまたは複数のバスを介して）互いと通信し得る。狭帯域同期マネージャ１５０５は、図１２〜図１４を参照しながら説明されたように、狭帯域同期マネージャの一例であり得る。
【０１３９】
[0150]プロセッサ１５１０は、インテリジェントハードウェアデバイス（たとえば、ＣＰＵ、マイクロコントローラ、ＡＳＩＣなど）を含み得る。メモリ１５１５はＲＡＭおよびＲＯＭを含み得る。メモリ１５１５は、実行されたとき、プロセッサに本明細書で説明される様々な機能（たとえば、狭帯域通信のための共通同期チャネル設計など）を実行させる命令を含むコンピュータ可読、コンピュータ実行可能ソフトウェアを記憶し得る。いくつかの場合には、ソフトウェア１５２０は、プロセッサによって直接的に実行可能でないことがあるが、（たとえば、コンパイルされ実行されたとき）コンピュータに本明細書で説明される機能を実行させ得る。
【０１４０】
[0151]トランシーバ１５２５は、上記で説明されたように、１つまたは複数のアンテナ、ワイヤードリンク、またはワイヤレスリンクを介して、１つまたは複数のネットワークと双方向に通信し得る。たとえば、トランシーバ１５２５は、基地局１０５またはＵＥ１１５と双方向に通信し得る。トランシーバ１５２５はまた、パケットを変調し、変調されたパケットを送信のためにアンテナに与えるための、およびアンテナから受信されたパケットを復調するためのモデムを含み得る。いくつかの場合には、ワイヤレスデバイスは単一のアンテナ１５３０を含み得る。しかしながら、いくつかの場合には、デバイスは、複数のワイヤレス送信をコンカレントに送信または受信することが可能であり得る２つ以上のアンテナ１５３０を有し得る。ＭＴＣ通信マネージャ１５３５は、本明細書で説明されるように、狭帯域領域内での、または狭帯域リソースを使用する動作など、ＭＴＣ動作を可能にし得る。
【０１４１】
[0152]図１６は、本開示の様々な態様による、狭帯域通信のための共通同期チャネル設計のための方法１６００を示すフローチャートを示す。方法１６００の動作は、図１および図２を参照しながら説明されたように、基地局１０５またはそれのコンポーネントによって実装され得る。たとえば、方法１６００の動作は、本明細書で説明されるように、狭帯域同期信号マネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能の態様を実行し得る。
【０１４２】
[0153]ブロック１６０５において、基地局１０５は、図２〜図７を参照しながら上記で説明されたように、システム帯域幅の広帯域領域に関して狭帯域領域のロケーションを識別する。いくつかの例では、ブロック１６０５の動作は、図９を参照しながら説明されたように、狭帯域領域コンポーネントによって実行され得る。
【０１４３】
[0154]ブロック１６１０において、基地局１０５は、図２〜図７を参照しながら上記で説明されたように、狭帯域送信に関連する同期信号の送信のために使用されるべき共通同期リソースを識別し、同期信号がデバイス発見のための同期情報を含む。いくつかの例では、ブロック１６１０の動作は、図９を参照しながら説明されたように、同期リソースコンポーネントによって実行され得る。
【０１４４】
[0155]ブロック１６１５において、基地局１０５は、図２〜図７を参照しながら上記で説明されたように、狭帯域領域のロケーションに基づいて同期信号をフォーマットし得る。いくつかの例では、ブロック１６１５の動作は、図９を参照しながら説明されたように、同期信号コンポーネントによって実行され得る。
【０１４５】
[0156]ブロック１６２０において、基地局１０５は、図２〜図７を参照しながら上記で説明されたように、共通同期リソースを使用して、フォーマットされた同期信号の少なくとも一部分を送信し得る。いくつかの例では、ブロック１６２０の動作は、図９を参照しながら説明されたように、同期信号コンポーネントによって実行され得る。
【０１４６】
[0157]図１７は、本開示の様々な態様による、狭帯域通信のための共通同期チャネル設計のための方法１７００を示すフローチャートを示す。方法１７００の動作は、図１および図２を参照しながら説明されたように、ＵＥ１１５またはそれのコンポーネントによって実装され得る。たとえば、方法１７００の動作は、本明細書で説明されるように、狭帯域同期マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０１４７】
[0158]ブロック１７０５において、ＵＥ１１５は、図２〜図７を参照しながら上記で説明されたように、デバイス発見のための同期情報を含む同期信号の少なくとも一部分を含んでいる、システム帯域幅の広帯域領域内の第１のリソースを識別し得る。いくつかの例では、ブロック１７０５の動作は、図１３を参照しながら説明されたように、広帯域リソースコンポーネントによって実行され得る。
【０１４８】
[0159]ブロック１７１０において、ＵＥ１１５は、図２〜図７を参照しながら上記で説明されたように、第１のリソースを介して同期信号の少なくとも一部分を受信し得る。いくつかの例では、ブロック１７１０の動作は、図１３を参照しながら説明されたように、同期信号コンポーネントによって実行され得る。
【０１４９】
[0160]ブロック１７１５において、ＵＥ１１５は、図２〜図７を参照しながら上記で説明されたように、同期信号のフォーマットに基づいて、システム帯域幅の広帯域領域に関して狭帯域領域のロケーションを識別し得る。いくつかの例では、ブロック１７１５の動作は、図１３を参照しながら説明されたように、狭帯域リソースコンポーネントによって実行され得る。
【０１５０】
[0161]図１８は、本開示の様々な態様による、狭帯域通信のための共通同期チャネル設計のための方法１８００を示すフローチャートを示す。方法１８００の動作は、図１および図２を参照しながら説明されたように、基地局１０５またはそれのコンポーネントによって実装され得る。たとえば、方法１８００の動作は、本明細書で説明されるように、狭帯域同期信号マネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能の態様を実行し得る。
【０１５１】
[0162]ブロック１８０５において、基地局１０５は、図２〜図７を参照しながら上記で説明されたように、デバイス発見のための同期情報を含む同期信号の少なくとも一部分の送信のための、１つまたは複数の広帯域送信の広帯域帯域幅内のアンカーリソースを識別し、ここで、アンカーリソースが、広帯域帯域幅内のあらかじめ定義されたリソースロケーションに位置する１つまたは複数のＲＢを含む。いくつかの例では、ブロック１８０５の動作は、図９を参照しながら説明されたように、アンカーリソースコンポーネントによって実行され得る。
【０１５２】
[0163]ブロック１８１０において、基地局１０５は、図２〜図７を参照しながら上記で説明されたように、アンカーリソースを介して同期信号の少なくとも一部分を送信し得る。いくつかの例では、ブロック１８１０の動作は、図９を参照しながら説明されたように、同期信号コンポーネントによって実行され得る。
【０１５３】
[0164]図１９は、本開示の様々な態様による、狭帯域通信のための共通同期チャネル設計のための方法１９００を示すフローチャートを示す。方法１９００の動作は、図１および図２を参照しながら説明されたように、ＵＥ１１５またはそれのコンポーネントによって実装され得る。たとえば、方法１９００の動作は、本明細書で説明されるように、狭帯域同期マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０１５４】
[0165]ブロック１９０５において、ＵＥ１１５は、図２〜図７を参照しながら上記で説明されたように、デバイス発見のための同期情報を含む同期信号の少なくとも一部分を含んでいる、１つまたは複数の広帯域送信の広帯域帯域幅内のアンカーリソースを識別し、ここで、アンカーリソースが、広帯域帯域幅内のあらかじめ定義されたリソースロケーションに位置する１つまたは複数のＲＢを含む。いくつかの例では、ブロック１９０５の動作は、図１３を参照しながら説明されたように、アンカーリソースコンポーネントによって実行され得る。
【０１５５】
[0166]ブロック１９１０において、ＵＥ１１５は、図２〜図７を参照しながら上記で説明されたように、アンカーリソースを介して同期信号の少なくとも一部分を受信し得る。いくつかの例では、ブロック１９１０の動作は、図１３を参照しながら説明されたように、同期信号コンポーネントによって実行され得る。
【０１５６】
[0167]図２０は、本開示の様々な態様による、狭帯域通信のための共通同期チャネル設計のための方法２０００を示すフローチャートを示す。方法２０００の動作は、図１および図２を参照しながら説明されたように、基地局１０５またはそれのコンポーネントによって実装され得る。たとえば、方法２０００の動作は、本明細書で説明されるように、狭帯域同期信号マネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能の態様を実行し得る。
【０１５７】
[0168]ブロック２００５において、基地局１０５は、図２〜図７を参照しながら上記で説明されたように、狭帯域領域のロケーションが１つまたは複数の広帯域送信の広帯域帯域幅内の帯域内にあることを識別し得る。いくつかの例では、ブロック２００５の動作は、図９を参照しながら説明されたように、狭帯域領域コンポーネントによって実行され得る。
【０１５８】
[0169]ブロック２０１０において、基地局１０５は、図２〜図７を参照しながら上記で説明されたように、狭帯域送信の送信のための、広帯域帯域幅中で分配される狭帯域リソースを選択し、狭帯域リソースが、狭帯域送信のための送信ダイバーシティを与えるために分配される。いくつかの例では、ブロック２０１０の動作は、図９を参照しながら説明されたように、狭帯域送信コンポーネントによって実行され得る。
【０１５９】
[0170]ブロック２０１５において、基地局１０５は、図２〜図７を参照しながら上記で説明されたように、狭帯域送信に関連する同期信号の送信のために使用されるべき共通同期リソースを識別し、同期信号がデバイス発見のための同期情報を含む。いくつかの例では、ブロック２０１５の動作は、図９を参照しながら説明されたように、同期リソースコンポーネントによって実行され得る。
【０１６０】
[0171]ブロック２０２０において、基地局１０５は、図２〜図７を参照しながら上記で説明されたように、共通同期リソースを使用して同期信号を送信し得る。いくつかの例では、ブロック２０２０の動作は、図９を参照しながら説明されたように、同期信号コンポーネントによって実行され得る。
【０１６１】
[0172]図２１は、本開示の様々な態様による、狭帯域通信のための共通同期チャネル設計のための方法２１００を示すフローチャートを示す。方法２１００の動作は、図１および図２を参照しながら説明されたように、ＵＥ１１５またはそれのコンポーネントによって実装され得る。たとえば、方法２１００の動作は、本明細書で説明されるように、狭帯域同期マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０１６２】
[0173]ブロック２１０５において、ＵＥ１１５は、図２〜図７を参照しながら上記で説明されたように、デバイス発見のための同期情報を含む同期信号の少なくとも一部分を含んでいる、１つまたは複数の広帯域送信の広帯域帯域幅内の第１のリソースを識別し得る。いくつかの例では、ブロック２１０５の動作は、図１３を参照しながら説明されたように、広帯域リソースコンポーネントによって実行され得る。
【０１６３】
[0174]ブロック２１１０において、ＵＥ１１５は、図２〜図７を参照しながら上記で説明されたように、第１のリソースを介して同期信号の少なくとも一部分を受信し得る。いくつかの例では、ブロック２１１０の動作は、図１３を参照しながら説明されたように、同期信号コンポーネントによって実行され得る。
【０１６４】
[0175]ブロック２１１５において、ＵＥ１１５は、図２〜図７を参照しながら上記で説明されたように、同期信号のコンテンツに基づいて、狭帯域領域のロケーションが１つまたは複数の広帯域送信の広帯域帯域幅内の帯域内にあることを識別し得る。いくつかの例では、ブロック２１１５の動作は、図１３を参照しながら説明されたように、狭帯域リソースコンポーネントによって実行され得る。
【０１６５】
[0176]ブロック２１２０において、ＵＥ１１５は、図２〜図７を参照しながら上記で説明されたように、狭帯域送信を受信するための、広帯域帯域幅中で分配される狭帯域リソースを識別し、狭帯域リソースが、狭帯域送信のための送信ダイバーシティを与えるために分配される。いくつかの例では、ブロック２１２０の動作は、図１３を参照しながら説明されたように、狭帯域リソースコンポーネントによって実行され得る。
【０１６６】
[0177]いくつかの例では、図１６、図１７、図ａ８、図ａ９、図２０、または図２１を参照しながら説明された方法１６００、１７００、１８００、１９００、２０００、または２１００のうちの２つまたはそれ以上からの態様が組み合わせられ得る。方法１６００、１７００、１８００、１９００、２０００、または２１００は例示的な実装形態にすぎないこと、および方法１６００、１７００、１８００、１９００、２０００、または２１００の動作は、他の実装形態が可能であるように、並べ替えられるかまたは場合によっては変更され得ることに留意されたい。たとえば、方法の各々の態様は、他の方法のステップまたは態様、あるいは本明細書で説明される他のステップまたは技法を含み得る。したがって、本開示の態様は、狭帯域通信のための共通同期チャネル設計を提供し得る。
【０１６７】
[0178]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
【０１６８】
[0179]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示および添付の特許請求の範囲の範囲および趣旨内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴は、機能の部分が、異なる物理的ロケーションにおいて実装されるように分配されることを含めて、様々な位置に物理的に配置され得る。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、コンポーネントＡ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」または「のうちの１つまたは複数」などの句で終わる項目の列挙）中で使用される「または」は、たとえば、項目の列挙「のうちの少なくとも１つ」を指す句が、単一のメンバーを含む、それらの項目の任意の組合せを指すような包括的（inclusive）列挙を示す。一例として、「Ａ、Ｂ、またはＣのうちの少なくとも１つ」は、Ａ、Ｂ、Ｃ、Ａ−Ｂ、Ａ−Ｃ、Ｂ−Ｃ、およびＡ−Ｂ−Ｃ、ならびに複数の同じ要素をもつ任意の組合せ（たとえば、Ａ−Ａ、Ａ−Ａ−Ａ、Ａ−Ａ−Ｂ、Ａ−Ａ−Ｃ、Ａ−Ｂ−Ｂ、Ａ−Ｃ−Ｃ、Ｂ−Ｂ、Ｂ−Ｂ−Ｂ、Ｂ−Ｂ−Ｃ、Ｃ−Ｃ、およびＣ−Ｃ−Ｃ、またはＡ、Ｂ、およびＣの任意の他の順序）をカバーするものとする。
【０１６９】
[0180]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１７０】
[0181]本明細書で使用される「に基づいて」という句は、条件の閉集合（a closed set）への参照として解釈されないものとする。たとえば、「条件Ａに基づいて」と記述された例示的なステップは、本開示の範囲から逸脱することなく条件Ａと条件Ｂの両方に基づき得る。言い換えれば、本明細書で使用される「に基づいて」という句は、「に少なくとも部分的に基づいて」という句と同様にして解釈されるものとする。
【０１７１】
[0182]本明細書で説明される技法は、符号分割多元接続（ＣＤＭＡ）、時分割多元接続（ＴＤＭＡ）、周波数分割多元接続（ＦＤＭＡ、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、（モバイル通信用グローバルシステム（ＧＳＭ））などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（ワイヤレスフィデリティ（Ｗｉ−Ｆｉ（登録商標）））、ＩＥＥＥ８０２．１６（ＷｉＭＡＸ）、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ユニバーサルモバイルテレコミュニケーションズシステム（ＵＭＴＳ：Universal Mobile Telecommunications System））の一部である。３ＧＰＰ（登録商標）  ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のシステムおよび無線技術、ならびに他のシステムおよび無線技術のために使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１７２】
[0183]本明細書で説明されるネットワークを含む、ＬＴＥ／ＬＴＥ−Ａネットワークでは、発展型ノードＢ（ｅＮＢ）という用語は、概して、基地局を表すために使用され得る。本明細書で説明される１つまたは複数のワイヤレス通信システムは、異なるタイプのｅＮＢが様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア（ＣＣ）、あるいはキャリアまたは基地局のカバレージエリア（たとえば、セクタなど）を表すために使用され得る３ＧＰＰ用語である。
【０１７３】
[0184]基地局は、基地トランシーバ局、無線基地局、アクセスポイント（ＡＰ）、無線トランシーバ、ノードＢ、ｅノードＢ（ｅＮＢ）、ホームノードＢ、ホームｅノードＢ、または何らかの他の好適な用語を含み得るか、あるいはそのように当業者によって呼ばれることがある。基地局のための地理的カバレージエリアは、カバレージエリアの一部分のみを構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む様々なタイプの基地局およびネットワーク機器と通信することが可能であり得る。異なる技術のための重複する地理的カバレージエリアがあり得る。
【０１７４】
[0185]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる周波数帯域（たとえば、認可（licensed）、無認可（unlicensed）など）内で動作し得る低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア（ＣＣ））をサポートし得る。ＵＥは、マクロｅＮＢ、スモールセルｅＮＢ、リレー基地局などを含む、様々なタイプの基地局およびネットワーク機器と通信することが可能であり得る。
【０１７５】
[0186]本明細書で説明される１つまたは複数のワイヤレス通信システムは、同期動作または非同期動作をサポートし得る。同期動作の場合、基地局は同様のフレームタイミングを有し得、異なる基地局からの送信は近似的に時間的にアラインされ（be approximately aligned in time）得る。非同期動作の場合、基地局は異なるフレームタイミングを有し得、異なる基地局からの送信は時間的にアラインされないことがある。本明細書で説明される技法は、同期動作または非同期動作のいずれかのために使用され得る。
【０１７６】
[0187]本明細書で説明されるＤＬ送信は順方向リンク送信と呼ばれることもあり、ＵＬ送信は逆方向リンク送信と呼ばれることもある。たとえば、図１および図２のワイヤレス通信システム１００および２００を含む、本明細書で説明される各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明される通信リンク（たとえば、図１の通信リンク１２５）は、ＦＤＤを使用して（たとえば、対（paired）スペクトルリソースを使用して）またはＴＤＤ動作を使用して（たとえば、不対（unpaired）スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【０１７７】
[0188]したがって、本開示の態様は、狭帯域通信のための共通同期チャネル設計を提供し得る。これらの方法は可能な実装形態を表すこと、ならびに動作およびステップは、他の実装形態が可能であるように、並べ替えられるかまたは場合によっては変更され得ることに留意されたい。いくつかの例では、方法のうちの２つまたはそれ以上からの態様が組み合わせられ得る。
【０１７８】
[0189]本明細書の開示に関して説明された様々な例示的なブロックおよびモジュールは、汎用プロセッサ、デジタル信号プロセッサ（ＤＳＰ）、ＡＳＩＣ、フィールドプログラマブルゲートアレイ（ＦＰＧＡ）または他のプログラマブル論理デバイス、個別ゲートまたはトランジスタ論理、個別ハードウェアコンポーネント、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。したがって、本明細書で説明される機能は、１つまたは複数の他の処理ユニット（またはコア）によって、少なくとも１つの集積回路（ＩＣ）上で実行され得る。様々な例では、当技術分野で知られている任意の様式でプログラムされ得る、異なるタイプのＩＣ（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【０１７９】
[0190]本開示についての以上の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
【図１】
2018534822.tif 000003
【図２】
2018534822.tif 000004
【図３】
2018534822.tif 000005
【図４】
2018534822.tif 000006
【図５】
2018534822.tif 000007
【図６】
2018534822.tif 000008
【図７】
2018534822.tif 000009
【図８】
2018534822.tif 000010
【図９】
2018534822.tif 000011
【図１０】
2018534822.tif 000012
【図１１】
2018534822.tif 000013
【図１２】
2018534822.tif 000014
【図１３】
2018534822.tif 000015
【図１４】
2018534822.tif 000016
【図１５】
2018534822.tif 000017
【図１６】
2018534822.tif 000018
【図１７】
2018534822.tif 000019
【図１８】
2018534822.tif 000020
【図１９】
2018534822.tif 000021
【図２０】
2018534822.tif 000022
【図２１】
2018534822.tif 000023
【国際調査報告】
2018534822.tif 000024
2018534822.tif 000025
2018534822.tif 000026
2018534822.tif 000027
2018534822.tif 000028